(57)【要約】      （修正有）【課題】インタラクティブ動画の配信、再生システム、装置及びその方法を提供する。【解決手段】インタラクティブ動画配信装置２００は、ストレージユニットと通信ユニットとを含む。ストレージユニットは、インタラクティブ動画及びインタラクティブなメニュー情報を保存する。インタラクティブ動画は、少なくとも１つのインタラクティブビデオクリップを含み、各インタラクティブビデオクリップの画面は、複数の選択項目を有する。メニュー情報は、各インタラクティブビデオクリップ上の選択項目に各々対応する複数コマンドを含む。通信ユニットは、インタラクティブ動画及びメニュー情報を視聴者側装置に配信する。視聴者側装置３００は、リモコンのカラーボタンの制御信号を受信すること共に制御信号を受信した時再生中のインタラクティブビデオクリップに基づいてインタラクティブビデオクリップ上の選択項目に対応するコマンドを実行する。【選択図】図２
2019201393.tif 000002
【特許請求の範囲】
【請求項１】
インタラクティブ動画及びインタラクティブなメニュー情報を保存し、前記インタラクティブ動画が少なくとも１つのインタラクティブビデオクリップを含み、各前記インタラクティブビデオクリップの画面が複数のインタラクティブな選択項目を有し、前記インタラクティブな選択項目がリモコン上の複数のカラーボタンに対応するカラーを呈し、前記インタラクティブなメニュー情報は各々前記インタラクティブ動画の時間軸上の各前記インタラクティブビデオクリップの時点上の前記インタラクティブな選択項目に対応する複数コマンドを含むストレージユニットと、
前記インタラクティブ動画及び前記インタラクティブなメニュー情報を配信し、視聴者側装置が前記インタラクティブ動画を再生する時前記リモコンの１個の前記カラーボタンに対応する制御信号を受信させ、また前記制御信号を受信した時現在再生中の前記インタラクティブビデオクリップに基づいて前記インタラクティブビデオクリップ上の対応カラーの前記インタラクティブな選択項目に対応する前記コマンドを実行する通信ユニットと、を含むことを特徴とする、
インタラクティブ動画配信装置。
【請求項２】
前記インタラクティブビデオクリップのいずれかに対応する前記インタラクティブな選択項目は、階層型メニューを形成し、前記インタラクティブな選択項目のいずれかがトリガーされた後、前記カラーボタンに対応する次階層の前記インタラクティブな選択項目が表示されることを特徴とする、請求項１に記載のインタラクティブ動画配信装置。
【請求項３】
前記コマンド内のいずれかは、前記インタラクティブビデオクリップの画面上の物品に関連付け、前記視聴者側装置が前記物品に対応する商品情報を一時保存領域内に保存することを特徴とする、請求項１に記載のインタラクティブ動画配信装置。
【請求項４】
プロセッサと、
前記プロセッサに電気的に接続され、プログラムコード及び複数のインタラクティブ動画を保存しており、各前記インタラクティブ動画が各々前記ストレージユニットに独立して保存される複数のインタラクティブビデオクリップを含み、各前記インタラクティブビデオクリップが各々複数のインタラクティブな選択項目、複数の動画要素及び複数の表示ウェイトに対応するストレージユニットと、
前記プロセッサに電気的に接続される通信ユニットと、を含むインタラクティブ動画配信装置において、
前記プロセッサは、前記プログラムコードを実行することで、信号受信側装置からの制御信号を受信し、前記制御信号は前記インタラクティブ動画内の第１インタラクティブ動画が選択されたことを指示し、従って前記ストレージユニットから前記第１インタラクティブ動画の前記インタラクティブビデオクリップ及びその対応する前記インタラクティブな選択項目、前記動画要素と前記表示ウェイトをキャプチャーし、また前記通信ユニットを通じて前記視聴者側装置に配信し、
前記視聴者側装置が前記第１インタラクティブ動画の前記インタラクティブビデオクリップを再生する時、前記インタラクティブビデオクリップに対応する前記インタラクティブな選択項目は前記インタラクティブビデオクリップ上に表示され、かつ前記インタラクティブビデオクリップの前記動画要素は各々対応の各前記インタラクティブな選択項目上に各前記動画要素が対応する各前記表示ウェイトの時間率を表示することを特徴とする、
インタラクティブ動画配信装置。
【請求項５】
各前記インタラクティブ動画は、前記ストレージユニットに保存されるリニアリファレンス表に各々対応し、前記リニアリファレンス表が各前記インタラクティブビデオクリップに対応する前記インタラクティブな選択項目と前記動画要素と前記表示ウェイトとを含むことを特徴とする、請求項４に記載のインタラクティブ動画配信装置。
【請求項６】
前記プロセッサは、リニアクリップ再生シーケンに基づいて前記第１インタラクティブ動画の前記インタラクティブビデオクリップを配信し、またリニア動画再生シーケンスに基づいて前記第１インタラクティブ動画及び前記第１インタラクティブ動画に続ける前記インタラクティブ動画を配信することを特徴とする、請求項４に記載のインタラクティブ動画配信装置。
【請求項７】
前記プロセッサは、前記通信ユニットを通じて前記信号受信側装置からの第１制御信号を受信し、前記第１制御信号は第１動画要素を表示する第１インタラクティブな選択項目がすでに選択されたことを指示し、前記第１インタラクティブな選択項目が前記インタラクティブな選択項目のいずれかであり、前記インタラクティブな選択項目が前記視聴者側装置再生中の第１インタラクティブビデオクリップ上に表示され又は前記視聴者側装置を通じてインタラクティブメニュー上に表示され、かつ前記第１動画要素は特定の可視オブジェクトに対応して前記第１インタラクティブビデオクリップ内に現れ、前記第１インタラクティブビデオクリップが前記第１インタラクティブ動画の前記インタラクティブビデオクリップのいずれかであり、前記第１動画要素は第１動画要素識別子に対応し、前記第１インタラクティブビデオクリップが第１インタラクティブビデオクリップ識別子を有し、前記ストレージユニットの前記インタラクティブビデオクリップ内に含まれる少なくとも１つの第２インタラクティブビデオクリップは第２インタラクティブビデオクリップ識別子を有し、前記第１インタラクティブビデオクリップ識別子及び前記第２インタラクティブビデオクリップ識別子が各々前記第１動画要素識別子に関連付け、従って前記プロセッサは前記第１動画要素識別子、前記第１インタラクティブビデオクリップ識別子及び前記第２インタラクティブビデオクリップ識別子に基づいて、前記第１インタラクティブビデオクリップ及び前記第２インタラクティブビデオクリップをキャプチャーすると共に配信することで、前記視聴者側装置上において再生させることを特徴とする、請求項４に記載のインタラクティブ動画配信装置。
【請求項８】
前記プロセッサは、更にキャプチャーすると共に前記通信ユニットを通じて前記第１動画要素に関連付け、かつ引き上げられた第１表示ウェイト及び第２表示ウェイトを配信し、前記第１インタラクティブビデオクリップ及び前記第２インタラクティブビデオクリップが前記映像音声出力ユニットにおいて各々再生された時、前記第１動画要素は、前記第１表示ウェイト及び前記第２表示ウェイトに基づいて対応の前記インタラクティブな選択項目上に各々表示することを特徴とする、請求項７に記載のインタラクティブ動画配信装置。
【請求項９】
前記プロセッサは、更に前記通信ユニットを通じて前記第１インタラクティブビデオクリップ及び第３動画要素に対応する第３表示ウェイトをキャプチャーすると共に配信し、前記第３動画要素及び前記第１動画要素が前記第１インタラクティブビデオクリップの同じ前記インタラクティブな選択項目に対応し、かつ前記第３表示ウェイトが前記第１表示ウェイトより低いことを特徴とする、請求項８に記載のインタラクティブ動画配信装置。
【請求項１０】
処理ユニットと、
前記処理ユニットに電気的に接続され、プログラムコードを保存するメモリユニットと、
前記処理ユニットに電気的に接続されるネットワークユニットと、
前記処理ユニットに電気的に接続される映像音声出力ユニットと、を含む視聴者側装置において、
前記処理ユニットは、前記プログラムコードを実行することで、
制御信号を受信すると共に前記ネットワークユニットを経由して複数のインタラクティブ動画を保存する配信装置に伝送し、前記制御信号は前記インタラクティブ動画内の第１インタラクティブ動画がすでに選択されたことを指示し、前記ネットワークユニットを通じて前記第１インタラクティブ動画の複数のインタラクティブビデオクリップ及びその対応の複数のインタラクティブな選択項目、複数の動画要素と複数の表示ウェイトを受信し、
前記映像音声出力ユニットを通じて前記第１インタラクティブ動画の前記インタラクティブビデオクリップを再生する時、前記インタラクティブビデオクリップに対応する前記インタラクティブな選択項目を前記インタラクティブビデオクリップ上に表示し、かつ前記インタラクティブビデオクリップに対応する前記動画要素は、各々対応の各前記インタラクティブな選択項目上に各前記動画要素が対応する各前記表示ウェイトの時間率を表示すること、を特徴とする、
視聴者側装置。
【請求項１１】
前記処理ユニットは、第１制御信号を受信し、前記第１制御信号は第１動画要素を表示する第１インタラクティブな選択項目がすでに選択されたことを指示し、前記第１インタラクティブな選択項目が前記インタラクティブな選択項目のいずれかであり、前記インタラクティブな選択項目が前記映像音声出力ユニット再生中の第１インタラクティブビデオクリップ上に表示され又は前記映像音声出力ユニットを通じてインタラクティブメニュー上に表示され、かつ前記第１動画要素は特定の可視オブジェクトに対応して前記第１インタラクティブビデオクリップ内に現れ、前記第１インタラクティブビデオクリップが前記第１インタラクティブ動画の前記インタラクティブビデオクリップのいずれかであり、前記第１動画要素は第１動画要素識別子に対応し、前記第１インタラクティブビデオクリップが第１インタラクティブビデオクリップ識別子を有し、前記インタラクティブビデオクリップ内に含まれる少なくとも１つの第２インタラクティブビデオクリップは第２インタラクティブビデオクリップ識別子を有し、前記第１インタラクティブビデオクリップ識別子及び前記第２インタラクティブビデオクリップ識別子が各々前記第１動画要素識別子に関連付け、従って前記プロセッサは受信すると共に前記映像音声出力ユニットで前記第１インタラクティブビデオクリップ及び前記第２インタラクティブビデオクリップを再生することを特徴とする、請求項１０に記載の視聴者側装置。
【請求項１２】
前記処理ユニットは、更に該ネットワークユニットを通じて前記第１動画要素に関連付け、かつ引き上げられた第１表示ウェイト及び第２表示ウェイトを受信し、前記第１インタラクティブビデオクリップ及び前記第２インタラクティブビデオクリップが前記映像音声出力ユニットにおいて再生された時、前記第１動画要素は前記第１表示ウェイト及び前記第２表示ウェイトに基づいて対応の前記インタラクティブな選択項目上に各々表示されることを特徴とする、請求項１１に記載の視聴者側装置。
【請求項１３】
前記プロセッサは、更に該ネットワークユニットを通じて前記第１インタラクティブビデオクリップ及び第３動画要素に対応する第３表示ウェイトを受信し、前記第３動画要素及び前記第１動画要素が前記第１インタラクティブビデオクリップの同じ前記インタラクティブな選択項目に対応し、かつ前記第３表示ウェイトが前記第１表示ウェイトより低いことを特徴とする、請求項１２に記載の視聴者側装置。
【請求項１４】
信号受信側装置からの制御信号を受信し、前記制御信号は第１動画要素を表示する第１インタラクティブな選択項目がすでに選択されたことを指示し、前記第１インタラクティブな選択項目が複数のインタラクティブな選択項目のいずれかであり、前記インタラクティブな選択項目が再生中の第１インタラクティブビデオクリップ上に表示され又はインタラクティブメニュー上に表示され、かつ前記第１動画要素は特定の可視オブジェクトに対応して前記第１インタラクティブビデオクリップ内に現れ、前記第１インタラクティブビデオクリップが複数のインタラクティブ動画の複数のインタラクティブビデオクリップのいずれかであり、前記第１動画要素は第１動画要素識別子に対応し、前記第１インタラクティブビデオクリップが第１インタラクティブビデオクリップ識別子を有し、前記複数のインタラクティブビデオクリップ内に含まれる少なくとも１つの第２インタラクティブビデオクリップは第２インタラクティブビデオクリップ識別子を有し、前記第１インタラクティブビデオクリップ識別子及び前記第２インタラクティブビデオクリップ識別子が各々前記第１動画要素識別子に関連付けることと、
前記第１動画要素識別子、前記第１インタラクティブビデオクリップ識別子及び前記第２インタラクティブビデオクリップ識別子に基づいて、前記第１インタラクティブビデオクリップ及び前記第２インタラクティブビデオクリップをキャプチャーすると共に配信することで、前記視聴者側装置上において再生させることと、を含むことを特徴とする、
インタラクティブ動画配信方法。
【請求項１５】
各前記インタラクティブ動画は、各前記インタラクティブビデオクリップに対応する前記インタラクティブな選択項目と複数の動画要素と複数の表示ウェイトとを含むリニアリファレンス表に各々対応することを特徴とする、請求項１４に記載のインタラクティブ動画配信方法。
【請求項１６】
前記第１動画要素に関連付け、かつ引き上げられた第１表示ウェイト及び第２表示ウェイトをキャプチャーすると共に配信し、前記第１インタラクティブビデオクリップ及び前記第２インタラクティブビデオクリップが前記視聴者側装置において再生された時、前記第１動画要素は、前記第１表示ウェイト及び前記第２表示ウェイトに基づいて対応の前記インタラクティブな選択項目上に各々表示されることを更に含むことを特徴とする、請求項１４に記載のインタラクティブ動画配信方法。
【請求項１７】
前記第１インタラクティブビデオクリップ及び第３動画要素に対応する第３表示ウェイトをキャプチャーすると共に配信し、前記第３動画要素及び前記第１動画要素が前記第１インタラクティブビデオクリップの同じ前記インタラクティブな選択項目に対応し、かつ前記第３表示ウェイトが前記第１表示ウェイトより低いことを更に含むことを特徴とする、請求項１６に記載のインタラクティブ動画配信方法。
【請求項１８】
制御信号を受信すると共に配信装置に伝送し、前記制御信号は第１動画要素を表示する第１インタラクティブな選択項目がすでに選択されたことを指示し、前記第１インタラクティブな選択項目が複数のインタラクティブな選択項目のいずれかであり、前記インタラクティブな選択項目が再生中の第１インタラクティブビデオクリップ上に表示され又はインタラクティブメニュー上に表示され、かつ前記第１動画要素は特定の可視オブジェクトに対応して前記第１インタラクティブビデオクリップ内に現れ、前記第１インタラクティブビデオクリップが複数のインタラクティブ動画の複数のインタラクティブビデオクリップのいずれかであり、前記第１動画要素は第１動画要素識別子に対応し、前記第１インタラクティブビデオクリップが第１インタラクティブビデオクリップ識別子を有し、前記複数のインタラクティブビデオクリップ内に含まれる少なくとも１つの第２インタラクティブビデオクリップは第２インタラクティブビデオクリップ識別子を有し、前記第１インタラクティブビデオクリップ識別子及び前記第２インタラクティブビデオクリップ識別子が各々前記第１動画要素識別子に関連付けることと、
前記第１インタラクティブビデオクリップ及び前記第２インタラクティブビデオクリップを受信すると共に再生することと、を含むことを特徴とする、
インタラクティブ動画再生方法。
【請求項１９】
前記第１動画要素に関連付け、かつ引き上げられた第１表示ウェイト及び第２表示ウェイトを受信し、前記第１インタラクティブビデオクリップ及び前記第２インタラクティブビデオクリップが前記視聴者側装置において再生された時、前記第１動画要素は、前記第１表示ウェイト及び前記第２表示ウェイトに基づいて対応の前記インタラクティブな選択項目上に各々表示されることを更に含むことを特徴とする、請求項１８に記載のインタラクティブ動画再生方法。
【請求項２０】
前記第１インタラクティブビデオクリップ及び第３動画要素に対応する第３表示ウェイトを受信し、前記第３動画要素及び前記第１動画要素が前記第１インタラクティブビデオクリップの同じ前記インタラクティブな選択項目に対応し、かつ前記第３表示ウェイトが前記第１表示ウェイトより低いことを更に含むことを特徴とする、請求項１９に記載のインタラクティブ動画再生方法。
【発明の詳細な説明】
【技術分野】
【０００１】
本発明は、動画の配信と再生システムに関し、特に、インタラクティブ動画の配信と再生システムや装置及びその方法に関する。
【背景技術】
【０００２】
現行テレビ番組は、視聴者とのインタラクションを行う必要がある場合、又はテレビショッピングの場合、往々にして電話方式で行うため、視聴者が電話代を負担していたため、テレビ局が電話代を負担してでもテレビ番組制作費を増やしてきた。
【０００３】
よって、現在幾つかのテレビ番組は、携帯電話向けアプリケーションプログラムを用いて視聴者とのインタラクションを行い、例えば視聴者にコンテスト番組内の好きな選手を投票によって選出させていたが、視聴者が参加する場合、アプリケーションプログラムをサポートするスマートフォンを用意しなければならず、テレビ業者も異なる携帯電話向けプラットフォームに対応するため、異なるバージョンのアプリケーションプログラムを開発及びメンテナンスする必要もあり、やはり相当のコストを支払わなければいけなかった。
【発明の概要】
【発明が解決しようとする課題】
【０００４】
本発明は、かかる従来の問題点に鑑みてなされたもので、インタラクティブ動画配信装置を提供することを目的とするものである。
【課題を解決するための手段】
【０００５】
本発明の一実施例は、ストレージユニットと通信ユニットとを含むインタラクティブ動画配信装置を提供する。
ストレージユニットは、インタラクティブ動画及びインタラクティブなメニュー情報を保存し、該インタラクティブ動画が少なくとも１つのインタラクティブビデオクリップを含み、各該インタラクティブビデオクリップの画面が複数のインタラクティブな選択項目を有し、それらインタラクティブな選択項目がリモコン上の複数のカラーボタンに対応するカラーを呈し、該インタラクティブなメニュー情報は各々該インタラクティブ動画の時間軸上の各該インタラクティブビデオクリップの時点上のそれらインタラクティブな選択項目に対応する複数コマンドを含む。通信ユニットは、該インタラクティブ動画及び該インタラクティブなメニュー情報を配信し、視聴者側装置が該インタラクティブ動画を再生する時該リモコンの１個の該カラーボタンに対応する制御信号を受信させ、また前記制御信号を受信した時再生中の該インタラクティブビデオクリップに基づいて該インタラクティブビデオクリップ上の対応カラーの該インタラクティブな選択項目に対応する該コマンドを実行する。
【０００６】
別の実施例内のインタラクティブ動画配信装置において、それらインタラクティブビデオクリップのいずれかに対応するそれらインタラクティブな選択項目は、階層型メニューを形成し、それらインタラクティブな選択項目のいずれかがトリガーされた後、それらカラーボタンに対応する次階層のそれらインタラクティブな選択項目が表示される。
【０００７】
別の実施例内のインタラクティブ動画配信装置において、それらコマンド内のいずれかは該インタラクティブビデオクリップの画面上の物品に関連付け、該視聴者側装置が該物品に対応する商品情報を一時保存領域内に保存する。
【０００８】
別の実施例において、本発明は、プロセッサとストレージユニットと通信ユニットとを含むインタラクティブ動画配信装置を提供する。
ストレージユニットは、該プロセッサに電気的に接続され、プログラムコード及び複数のインタラクティブ動画を保存しており、各該インタラクティブ動画が各々該ストレージユニットに独立して保存される複数のインタラクティブビデオクリップを含み、各該インタラクティブビデオクリップが各々複数のインタラクティブな選択項目、複数の動画要素及び複数の表示ウェイトに対応する。通信ユニットは、該プロセッサに電気的に接続される。前記プロセッサは、該プログラムコードを実行することで、信号受信側装置からの制御信号を受信し、該制御信号はそれらインタラクティブ動画内の第１インタラクティブ動画が選択されたことを指示し、従って該ストレージユニットから該第１インタラクティブ動画のそれらインタラクティブビデオクリップ及びその対応するそれらインタラクティブな選択項目、それら動画要素とそれら表示ウェイトをキャプチャーし、また該通信ユニットを通じて該視聴者側装置に配信する。該視聴者側装置が該第１インタラクティブ動画の該インタラクティブビデオクリップを再生する時、該インタラクティブビデオクリップに対応するそれらインタラクティブな選択項目は該インタラクティブビデオクリップ上に表示され、かつ該インタラクティブビデオクリップのそれら動画要素は各々対応の各該インタラクティブな選択項目上に各該動画要素が対応する各該表示ウェイトの時間率を表示する。
【０００９】
別の実施例内のインタラクティブ動画配信装置において、各該インタラクティブ動画は、該ストレージユニットに保存されるリニアリファレンス表に各々対応し、該リニアリファレンス表が各該インタラクティブビデオクリップに対応するそれらインタラクティブな選択項目とそれら動画要素とそれら表示ウェイトとを含む。
【００１０】
別の実施例内のインタラクティブ動画配信装置において、該プロセッサは、リニアクリップ再生シーケンに基づいて該第１インタラクティブ動画のそれらインタラクティブビデオクリップを配信し、またリニア動画再生シーケンスに基づいて該第１インタラクティブ動画及び該第１インタラクティブ動画に続いてそれらインタラクティブ動画を配信する。
【００１１】
別の実施例内のインタラクティブ動画配信装置において、該プロセッサは、該通信ユニットを通じて該信号受信側装置からの第１制御信号を受信し、該第１制御信号は第１動画要素を表示する第１インタラクティブな選択項目がすでに選択されたことを指示し、該第１インタラクティブな選択項目がそれらインタラクティブな選択項目のいずれかであり、それらインタラクティブな選択項目が該視聴者側装置再生中の第１インタラクティブビデオクリップ上に表示され又は該視聴者側装置を通じてインタラクティブメニュー上に表示され、かつ該第１動画要素は特定の可視オブジェクトに対応して該第１インタラクティブビデオクリップ内に現れ、該第１インタラクティブビデオクリップが該第１インタラクティブ動画のそれらインタラクティブビデオクリップのいずれかであり、該第１動画要素は第１動画要素識別子に対応し、該第１インタラクティブビデオクリップが第１インタラクティブビデオクリップ識別子を有し、該ストレージユニットのそれらインタラクティブビデオクリップ内に含まれる少なくとも１つの第２インタラクティブビデオクリップは第２インタラクティブビデオクリップ識別子を有し、該第１インタラクティブビデオクリップ識別子及び該第２インタラクティブビデオクリップ識別子が各々該第１動画要素識別子に関連付け、従って該プロセッサは該第１動画要素識別子、該第１インタラクティブビデオクリップ識別子及び該第２インタラクティブビデオクリップ識別子に基づいて、該第１インタラクティブビデオクリップ及び該第２インタラクティブビデオクリップをキャプチャーすると共に配信することで、該視聴者側装置上において再生させる。
【００１２】
別の実施例内のインタラクティブ動画配信装置において、該プロセッサは、更に該第１動画要素に関連付け、かつ引き上げられた第１表示ウェイト及び第２表示ウェイトをキャプチャーすると共に該通信ユニットを通じて配信し、該第１インタラクティブビデオクリップ及び該第２インタラクティブビデオクリップが該映像音声出力ユニットにおいて各々再生された時、該第１動画要素は、該第１表示ウェイト及び該第２表示ウェイトに基づいて対応のそれらインタラクティブな選択項目上に各々表示する。
【００１３】
別の実施例内のインタラクティブ動画配信装置において、該プロセッサは、更に該通信ユニットを通じて該第１インタラクティブビデオクリップ及び第３動画要素に対応する第３表示ウェイトをキャプチャーすると共に配信し、該第３動画要素及び該第１動画要素が該第１インタラクティブビデオクリップの同じ該インタラクティブな選択項目に対応し、かつ該第３表示ウェイトが該第１表示ウェイトより低い。
【００１４】
別の実施例において、本発明は、処理ユニットとメモリユニットとネットワークユニット及び映像音声出力ユニットとを含む視聴者側装置を提供する。
メモリユニットは、該処理ユニットに電気的に接続され、プログラムコードを保存し、ネットワークユニットは、該処理ユニットに電気的に接続され、映像音声出力ユニットは、該処理ユニットに電気的に接続される。該処理ユニットは、該プログラムコードを実行することで、制御信号を受信すると共に該ネットワークユニットを経由して複数のインタラクティブ動画を保存する配信装置に伝送し、該制御信号はそれらインタラクティブ動画内の第１インタラクティブ動画がすでに選択されたことを指示し、該ネットワークユニットを通じて該第１インタラクティブ動画の複数のインタラクティブビデオクリップ及びその対応の複数のインタラクティブな選択項目、複数の動画要素と複数の表示ウェイトを受信し、及び該映像音声出力ユニットを通じて該第１インタラクティブ動画の該インタラクティブビデオクリップを再生する時、該インタラクティブビデオクリップに対応するそれらインタラクティブな選択項目を該インタラクティブビデオクリップ上に表示し、かつ該インタラクティブビデオクリップに対応するそれら動画要素は、各々対応の各該インタラクティブな選択項目上に各該動画要素が対応する各該表示ウェイトの時間率を表示する。
【００１５】
別の実施例内の視聴者側装置において、前記処理ユニットは、第１制御信号を受信し、該第１制御信号は第１動画要素を表示する第１インタラクティブな選択項目がすでに選択されたことを指示し、前記第１インタラクティブな選択項目がそれらインタラクティブな選択項目のいずれかであり、それらインタラクティブな選択項目が該映像音声出力ユニット再生中の第１インタラクティブビデオクリップ上に表示され又は該映像音声出力ユニットを通じてインタラクティブメニュー上に表示され、かつ該第１動画要素は特定の可視オブジェクトに対応して該第１インタラクティブビデオクリップ内に現れ、該第１インタラクティブビデオクリップが該第１インタラクティブ動画のそれらインタラクティブビデオクリップのいずれかであり、該第１動画要素は第１動画要素識別子に対応し、該第１インタラクティブビデオクリップが第１インタラクティブビデオクリップ識別子を有し、それらインタラクティブビデオクリップ内に含まれる少なくとも１つの第２インタラクティブビデオクリップは第２インタラクティブビデオクリップ識別子を有し、該第１インタラクティブビデオクリップ識別子及び該第２インタラクティブビデオクリップ識別子が各々該第１動画要素識別子に関連付け、従って該プロセッサは受信すると共に該映像音声出力ユニットで該第１インタラクティブビデオクリップ及び該第２インタラクティブビデオクリップを再生する。
【００１６】
別の実施例内の視聴者側装置において、該処理ユニットは、更に該ネットワークユニットを通じて該第１動画要素に関連付け、かつ引き上げられた第１表示ウェイト及び第２表示ウェイトを受信し、該第１インタラクティブビデオクリップ及び該第２インタラクティブビデオクリップが該映像音声出力ユニットにおいて再生された時、該第１動画要素は、該第１表示ウェイト及び該第２表示ウェイトに基づいて対応のそれらインタラクティブな選択項目上に各々表示する。
【００１７】
別の実施例内の視聴者側装置において、該処理ユニットは、更に該ネットワークユニットを通じて該第１インタラクティブビデオクリップ及び第３動画要素に対応する第３表示ウェイトを受信し、該第３動画要素及び該第１動画要素が該第１インタラクティブビデオクリップの同じ該インタラクティブな選択項目に対応し、かつ該第３表示ウェイトが該第１表示ウェイトより低い。
【００１８】
別の実施例において、本発明はインタラクティブ動画配信方法を提供する。該インタラクティブ動画配信方法は、信号受信側装置からの制御信号を受信し、該制御信号は第１動画要素を表示する第１インタラクティブな選択項目がすでに選択されたことを指示し、該第１インタラクティブな選択項目が複数のインタラクティブな選択項目のいずれかであり、それらインタラクティブな選択項目が再生中の第１インタラクティブビデオクリップ上に表示され又はインタラクティブメニュー上に表示され、かつ該第１動画要素は特定の可視オブジェクトに対応して該第１インタラクティブビデオクリップ内に現れ、該第１インタラクティブビデオクリップが複数のインタラクティブ動画の複数のインタラクティブビデオクリップのいずれかであり、該第１動画要素は第１動画要素識別子に対応し、該第１インタラクティブビデオクリップが第１インタラクティブビデオクリップ識別子を有し、該複数のインタラクティブビデオクリップ内に含まれる少なくとも１つの第２インタラクティブビデオクリップは第２インタラクティブビデオクリップ識別子を有し、該第１インタラクティブビデオクリップ識別子及び該第２インタラクティブビデオクリップ識別子が各々該第１動画要素識別子に関連付けることと、該第１動画要素識別子、該第１インタラクティブビデオクリップ識別子及び該第２インタラクティブビデオクリップ識別子に基づいて、該第１インタラクティブビデオクリップ及び該第２インタラクティブビデオクリップをキャプチャーすると共に配信することで、該視聴者側装置上において再生させることと、を含む。
【００１９】
別の実施例におけるインタラクティブ動画配信方法は、各該インタラクティブ動画は各該インタラクティブビデオクリップに対応するそれらインタラクティブな選択項目と複数の動画要素と複数の表示ウェイトとを含むリニアリファレンス表に各々対応する。
【００２０】
別の実施例におけるインタラクティブ動画配信方法は、該第１動画要素に関連付け、かつ引き上げられた第１表示ウェイト及び第２表示ウェイトをキャプチャーすると共に配信し、該第１インタラクティブビデオクリップ及び該第２インタラクティブビデオクリップが該視聴者側装置において再生された時、該第１動画要素は、該第１表示ウェイト及び該第２表示ウェイトに基づいて対応のそれらインタラクティブな選択項目上に各々表示されることを更に含む。
【００２１】
別の実施例におけるインタラクティブ動画配信方法は、該第１インタラクティブビデオクリップ及び第３動画要素に対応する第３表示ウェイトをキャプチャーすると共に配信し、該第３動画要素及び該第１動画要素が該第１インタラクティブビデオクリップの同じ該インタラクティブな選択項目に対応し、かつ該第３表示ウェイトが該第１表示ウェイトより低いことを更に含む。
【００２２】
別の実施例において、本発明はインタラクティブ動画再生方法を提供する。
該インタラクティブ動画再生方法は、制御信号を受信すると共に配信装置に伝送し、該制御信号は第１動画要素を表示する第１インタラクティブな選択項目がすでに選択されたことを指示し、該第１インタラクティブな選択項目が複数のインタラクティブな選択項目のいずれかであり、それらインタラクティブな選択項目が再生中の第１インタラクティブビデオクリップ上に表示され又はインタラクティブメニュー上に表示され、かつ該第１動画要素は特定の可視オブジェクトに対応して該第１インタラクティブビデオクリップ内に現れ、該第１インタラクティブビデオクリップが複数のインタラクティブ動画の複数のインタラクティブビデオクリップのいずれかであり、該第１動画要素は第１動画要素識別子に対応し、該第１インタラクティブビデオクリップが第１インタラクティブビデオクリップ識別子を有し、該複数のインタラクティブビデオクリップ内に含まれる少なくとも１つの第２インタラクティブビデオクリップは第２インタラクティブビデオクリップ識別子を有し、該第１インタラクティブビデオクリップ識別子及び該第２インタラクティブビデオクリップ識別子が各々該第１動画要素識別子に関連付けることと、該第１インタラクティブビデオクリップ及び該第２インタラクティブビデオクリップを受信すると共に再生することと、を含む。
【００２３】
別の実施例におけるインタラクティブ動画再生方法は、該第１動画要素に関連付け、かつ引き上げられた第１表示ウェイト及び第２表示ウェイトを受信し、該第１インタラクティブビデオクリップ及び該第２インタラクティブビデオクリップが該視聴者側装置において再生された時、該第１動画要素は、該第１表示ウェイト及び該第２表示ウェイトに基づいて対応のそれらインタラクティブな選択項目上に各々表示されることを更に含む。
【００２４】
別の実施例におけるインタラクティブ動画再生方法は、該第１インタラクティブビデオクリップ及び第３動画要素に対応する第３表示ウェイトを受信し、該第３動画要素及び該第１動画要素が該第１インタラクティブビデオクリップの同じ該インタラクティブな選択項目に対応し、かつ該第３表示ウェイトが該第１表示ウェイトより低いことを更に含む。
【発明の効果】
【００２５】
上記実施例のインタラクティブ動画配信システム及びインタラクティブ動画配信装置を通じて、ユーザーにインタラクティブ動画を提供でき、かつインタラクティブな選択項目を簡単に操作することによって、ユーザーにインタラクティブ動画に対しインタラクティブな操作を行わせることができ、かつ各種動画配信及び再生技術の応用に適する。
また、本発明の各実施例に記載の技術的特徴を統合し、各インタラクティブ動画は複数のインタラクティブビデオクリップに分割されることで、各々保存している独立なファイル形態で存在し、また特定のインタラクティブビデオクリップ識別子を付与してインタラクティブビデオクリップに出現する各動画要素を動画要素識別子で対応して出現したインタラクティブビデオクリップと関連付け、また各々各動画要素のインタラクティブな選択項目における表示ウェイトを割り当てることによって、インタラクティブな選択項目が現れる動画要素の表示時間の長さを決定し、従ってインタラクティブな選択項目がリクックされた後に現れるコンテンツを制御する。
同時に、非リニア再生は、すでに本発明の実施例を介して実現でき、硬直化したリニア再生モードから脱却できるだけではなく、後続インタラクティブ式メニュー操作中、選択された動画要素の商品又はインタラクティブ操作の出現時間への関連付けを高め、インタラクティブ動画再生過程中の異なるインタラクティブ操作多様性を広げることができる。
【図面の簡単な説明】
【００２６】
【図１】本発明の実施例１に係るインタラクティブ動画配信システムの構成図である。
【図２】本発明の実施例１に係るインタラクティブ動画配信システムのブロック図である。
【図３】本発明の実施例１に係るインタラクティブ動画を示す模式図である。
【図４】本発明の実施例１に係るインタラクティブビデオクリップの画面を示す模式図である。
【図５】本発明の実施例１に係る別のインタラクティブビデオクリップの画面を示す模式図である。
【図６】本発明の実施例１に係る更なるインタラクティブビデオクリップの画面を示す模式図である。
【図７】カラーボタンと図６のインタラクティブな選択項目の対照関係図である。
【図８】本発明の実施例２に係るインタラクティブ動画配信システムの構成図である。
【図９】本発明の実施例２に係るインタラクティブ動画配信システムのブロック図である。
【図１０Ａ】本発明の実施例３に係るインタラクティブ動画配信システムのブロック図である。
【図１０Ｂ】本発明の実施例４に係るインタラクティブ動画配信システムのブロック図である。
【図１１Ａ】本発明の実施例５に係るインタラクティブ動画の配信及び再生方法のフローチャートである。
【図１１Ｂ】本発明の実施例５に係るインタラクティブ動画の（リニア）配信及び再生方法の構成図である。
【図１１Ｃ】本発明の実施例５に係るインタラクティブ動画のリニア配信及び再生時に用いるリニアリファレンス表を示す模式図である。
【図１１Ｄ】本発明の実施例５に係るインタラクティブ動画のインタラクティブビデオクリップの画面を示す模式図である。
【図１１Ｅ】本発明の実施例５に係るインタラクティブ動画のインタラクティブビデオクリップが持つ複数の分解画像レイヤをインタラクティブな選択項目上に重ね合わせた画面を示す模式図である。
【図１２Ａ】本発明の実施例６に係るインタラクティブ動画の配信及び再生方法のフローチャートである。
【図１２Ｂ】本発明の実施例６に係るインタラクティブ動画の非リニア配信及び再生方法の構成図である。
【図１２Ｃ】本発明の実施例６に係るインタラクティブ動画の非リニア配信及び再生時に用いる非リニア再生リストを示す模式図である。
【図１３Ａ】本発明の実施例７に係る視聴者側装置上に表示されるインタラクティブメニューを示す模式図である。
【図１３Ｂ】本発明の実施例７に係る視聴者側装置上に表示される別のインタラクティブメニューを示す模式図である。
【発明を実施するための形態】
【００２７】
[実施例１]
図１は、本発明の実施例１に係るインタラクティブ動画配信システム１００の構成図である。インタラクティブ動画配信システム１００は、インタラクティブ動画配信装置２００と視聴者側装置３００とリモコン４００とを含む。
図２は、本発明の実施例１に係るインタラクティブ動画配信システム１００のブロック図である。インタラクティブ動画配信装置２００は、１台又は複数台のサーバーで実現でき、ストレージユニット２１０と通信ユニット２２０とを含む。
【００２８】
ストレージユニット２１０は、不揮発性記憶装置であり、フラッシュメモリ、ハードディスク又はその他の光学的記録媒体、磁気媒体或いは固体記憶媒体等とすることができる。ストレージユニット２１０は、１つ又は複数のインタラクティブ動画を保存し、かつ各インタラクティブ動画と対応するインタラクティブなメニュー情報を保存しており、後記に詳述する。通信ユニット２２０は、デジタルビデオブロードキャスティング（Ｄｉｇｉｔａｌ  Ｖｉｄｅｏ  Ｂｒｏａｄｃａｓｔｉｎｇ、ＤＶＢ）をサポートできる通信設備である。デジタルビデオブロードキャスティングは、衛星テレビ（ＤＶＢ−Ｓ）放送、ケーブルテレビ（ＤＶＢ−Ｃ）放送、地上波テレビ（ＤＶＢ−Ｔ）放送又はハンドヘルドデジタルビデオ放送（ＤＶＢ−Ｈ）が挙げられる。
例えば、図１に示すように、衛星テレビ放送を用いる場合、通信ユニット２２０は、テレビ信号を地上の基地局２３０に伝送し、テレビ信号を地上の基地局２３０から衛星（図示せず）に発信させ、視聴者側装置３００に衛星アンテナ（図示せず）を経由してテレビ信号を受信させることができる。ここで、テレビ信号は、インタラクティブ動画５００と対応のインタラクティブなメニュー情報とを含む。インターネットプロトコルテレビジョン（Ｉｎｔｅｒｎｅｔ  Ｐｒｏｔｏｃｏｌ  Ｔｅｌｅｖｉｓｉｏｎ、ＩＰＴＶ）の通信フォーマットの通信設備である場合、通信ユニット２２０は、ネットワーク２４０に接続されることで、テレビ信号をネットワーク２４０によって伝送する。ここで、ネットワーク２４０は、ローカルエリアネットワーク（Ｌｏｃａｌ  Ａｒｅａ  Ｎｅｔｗｏｒｋ、ＬＡＮ）或いはワイドエリアネットワーク（Ｗｉｄｅ  Ａｒｅａ  Ｎｅｔｗｏｒｋ、ＷＡＮ）とすることができる。
【００２９】
図１及び図２を一緒に参照する。用いられるテレビ信号伝送技術を見て視聴者側装置３００は、テレビ３１０又はテレビ３１０に接続されるセットトップボックス３２０である。視聴者側装置３００は、含処理ユニット３３０とメモリユニット３４０と信号受信ユニット３５０と信号配信ユニット３６０と映像音声出力ユニット３７０と遠隔制御受信ユニット３８０と、を含む。処理ユニット３３０は、メモリユニット３４０、信号受信ユニット３５０、信号配信ユニット３６０、映像音声出力ユニット３７０及び遠隔制御受信ユニット３８０に電気的に接続される。
【００３０】
処理ユニット３３０は、接続する素子を制御するため、１個又は複数の処理素子で実現できる。各処理素子は、例えばマイクロプロセッサ、マイクロコントローラ、デジタル信号プロセッサ、マイクロコンピュータ、中央処理装置、フィールドプログラマブルゲートアレイ、プログラマブルロジックデバイス、ステートマシン、ロジック回路、アナログ回路、デジタル回路及び／又は操作コマンドの操作信号（アナログ及び／又はデジタル）に基づく設備等とすることができる。
【００３１】
メモリユニット３４０は、揮発性メモリと不揮発性メモリ（図示せず）とを含む。不揮発性メモリは、処理ユニット３３０が実行するプログラムコード、クライアント情報、前記インタラクティブ動画５００及びインタラクティブなメニュー情報等のデータを保存する。揮発性メモリは、処理ユニット３３０がプログラムを実行する時の一時保存データを保存する。幾つかの実施例において、不揮発性メモリに保存される部分データ、例えばインタラクティブなメニュー情報も揮発性メモリ内に保存できる。
【００３２】
信号受信ユニット３５０は、インタラクティブ動画配信装置２００の動画配信技術と対応する通信技術をサポートし、かつ受信した通信信号に対し信号処理を行うことで、インタラクティブ動画５００及びインタラクティブなメニュー情報を得るため、信号処理回路又は信号処理ソフトウェアを含むことができる。
映像音声出力ユニット３７０は、インタラクティブ動画５００を映像及び音声の形で出力するため、スクリーン及びスピーカとすることができ、或いはインタラクティブ動画５００を映像及び音声信号の形で出力するため、映像音声伝送インターフェース（例えば、ＨＤＭＩ（登録商標）、ＡＶ端子、色差端子等）とすることができる。遠隔制御受信ユニット３８０は、リモコン４００から発された無線信号を受信するために用いられ、サポートする無線通信フォーマットが例えば赤外線、ＲＦ、ブルートゥース（登録商標）等とすることができる。
【００３３】
図１を参照する。リモコン４００は、テレビ３１０又は／及びセットトップボックス３２０を制御でき、複数のカラーボタン４１０を備え、カラーボタン４１０が一般的に４個あり、各々赤ボタン４１０Ｒ、緑ボタン４１０Ｇ、黄ボタン４１０Ｙ、青ボタン４１０Ｂとする。リモコン４００は、例えば電源ボタン、数字ボタン、チャンネル切替ボタン、音量調整ボタン等その他のボタンを更に含み、それらボタンがすでに特定の機能をあらかじめ設定している。
カラーボタン４１０は、一般的にその機能を定義しておらず、本実施例がカラーボタン４１０を利用してユーザーに動画内容とインタラクションを行わせることができる。リモコン４００は、前記ボタンのトリガー（例えば押圧、接触等の操作方式）を検出すると共にトリガーされたボタンに対応する制御信号を無線で発信できる回路基板（図示せず）を更に含む。前記制御信号は、前記ボタンに対応する番号を含み、番号の違いによってテレビ３１０或いはセットトップボックス３２０が受信した番号に基づいてユーザーがトリガーしたボタンはどのボタンであるかを分かることができる。
【００３４】
図３は、本発明の実施例１に係るインタラクティブ動画５００を示す模式図である。インタラクティブ動画５００は、少なくとも１つのインタラクティブビデオクリップ５１０を含み、ここで複数のインタラクティブビデオクリップ５１０を例にする。幾つかの実施例において、インタラクティブ動画５００は、一部の非インタラクティブビデオクリップ（図示せず）を更に含み、すなわち、インタラクティブ動画５００内の一部ビデオクリップが非インタラクティブビデオクリップとすることができる。各インタラクティブビデオクリップ５１０は、各々異なるセッションとすることができる。
図４は、本発明の実施例１に係るインタラクティブビデオクリップ５１０の画面を示す模式図である。インタラクティブ動画５００の再生過程中、インタラクティブビデオクリップ５１０の画面５２１上に複数のインタラクティブな選択項目５１１〜５１４を有する。ここで、インタラクティブな選択項目５１１〜５１４は、各々リモコン４００上にあるカラーボタン４１０と互いに対応する。
対応方式は、例えばインタラクティブな選択項目５１１〜５１４がカラーボタン４１０と対応するカラーを呈する。すなわち、インタラクティブな選択項目５１１は赤ボタン４１０Ｒと対応する赤色を呈し、インタラクティブな選択項目５１２は、緑ボタン４１０Ｇと対応する緑色を呈し、インタラクティブな選択項目５１３は、黄ボタン４１０Ｙと対応する黄色を呈し、インタラクティブな選択項目５１４は、青ボタン４１０Ｂと対応する青色を呈する。ここで、インタラクティブな選択項目５１４は、画面５２１の右下に並べられるが、本発明の実施例はこれに限定されず、画面上の任意の適した位置に配置させることができる。
【００３５】
幾つかの実施例において、インタラクティブな選択項目５１１〜５１４は、異なるコマンドに各々対応できる。それらコマンドは、前記インタラクティブなメニュー情報内に含まれる。かつ、各インタラクティブビデオクリップ５１０上の同じカラーボタン４１０に対応するインタラクティブな選択項目５１１〜５１４は、異なるコンテンツに対応できる。例えば、図４に示す画面５２１において、インタラクティブな選択項目５１１のコンテンツが「服装」であり、インタラクティブな選択項目５１２のコンテンツは、「アクセサリー」であり、インタラクティブな選択項目５１３のコンテンツは、「道具」であり、インタラクティブな選択項目５１４のコンテンツは、「優遇」であり、図５に示す画面５２２において、インタラクティブな選択項目５１１のコンテンツは、「アクセサリー」であり、インタラクティブな選択項目５１２のコンテンツは、「シーン」であり、インタラクティブな選択項目５１３のコンテンツは、「服装」であり、インタラクティブな選択項目５１４のコンテンツは、「道具」であり、図６に示す画面５２３において、インタラクティブな選択項目５１１のコンテンツは、「歴史」であり、インタラクティブな選択項目５１２のコンテンツは、「地図」であり、インタラクティブな選択項目５１３のコンテンツは、「天気」であり、インタラクティブな選択項目５１４のコンテンツは、「優遇」である。
【００３６】
ここで、図６を例にしてインタラクティブな選択項目５１１〜５１４とコマンドとの関係を説明する。
図２、図６及び図７を一緒に参照する。図７は、カラーボタン４１０と図６のインタラクティブな選択項目５１１〜５１４との対照関係図である。インタラクティブなメニュー情報は、インタラクティブ動画５００の時間軸の各時点に対応するインタラクティブな選択項目５１１〜５１４のコンテンツとコマンドとを含む。インタラクティブ動画５００の再生過程中、処理ユニット３３０は、インタラクティブなメニュー情報をクエリーすると共に画面５２３上に対応のインタラクティブな選択項目５１１〜５１４のコンテンツを同期表示する。
図７に示すように、赤ボタン４１０Ｒが対応するインタラクティブな選択項目５１１のコンテンツは、「歴史」である。ユーザーがリモコン４００を操作して赤ボタン４１０Ｒをトリガーした後、視聴者側装置３００の遠隔制御受信ユニット３８０は赤ボタン４１０Ｒに対応する制御信号を受信する。次に、処理ユニット３３０は、メモリユニット３４０内からインタラクティブなメニュー情報をクエリーし、制御信号を受信した時現在再生中のインタラクティブビデオクリップ５１０に基づいてインタラクティブな選択項目５１１と対応するコマンドをクエリーすると共に実行する。ここで、前記コマンドは、「歴史」項目の次階層のメニューを表示する。よって、画面５２３ではインタラクティブな選択項目５１５、５１６を付加して表示する。
インタラクティブな選択項目５１５のコンテンツは、「年代」であり、インタラクティブな選択項目５１６のコンテンツは、「シーン」である。ここで、付加して表示するインタラクティブな選択項目５１５、５１６は、視聴者側装置３００のオンスクリーンディスプレイ（Ｏｎ  Ｓｃｒｅｅｎ  Ｄｉｓｐｌａｙ、ＯＳＤ）を利用して表示される。インタラクティブな選択項目５１５、５１６は、同様にカラーボタン４１０に対応するカラーを有する。ここで、インタラクティブな選択項目５１５は、赤ボタン４１０Ｒに対応するカラーを有し、インタラクティブな選択項目５１６は、緑ボタン４１０Ｇに対応するカラーを有する。ユーザーがこのシーンの年代背景に興味をもつ場合、リモコン４００を操作することで、赤ボタン４１０Ｒを再度トリガーすると、前記制御信号の伝送過程と同じように、視聴者側装置３００は「年代」項目の図７に示すような「７０年代」、「８０年代」、「９０年代」、「現代」を包括する次階層のメニューを表示する。
上記説明から分かるように、少なくとも１つのインタラクティブビデオクリップ５１０に対応するインタラクティブな選択項目５１１〜５１６は、階層型メニューを形成する。これを介して、ユーザーが単に４個のカラーボタン４１０を操作すると、インタラクティブ動画５００に対しインタラクティブ操作を行わせることができる。上記例の続きで、ユーザーが次に緑ボタン４１０Ｇをトリガーした時、視聴者側装置３００は画面５２３上にこのシーンの８０年代時空間下における歴史情報を表示する。前記歴史情報は、インタラクティブなメニュー情報内に保存されることができ、又はインタラクティブなメニュー情報内に保存されているウェブページリンクを経由して取得できる。言い換えると、前記インタラクティブな選択項目５１１〜５１６に対応するコマンドは、次階層のメニューへのアクセス、インタラクティブなメニュー情報内に保存されているデータを表示或いはインタラクティブなメニュー情報内に保存されているリンクを経由して取得したデータ等を表示することである。
【００３７】
一実施例において、図４に示すように、ユーザーは、前記操作を通じてインタラクティブビデオクリップ５１０の画面５２１内に表示されている物、例えば服装、アクセサリー、道具の詳細情報を閲覧できる。すなわち、インタラクティブな選択項目５１１〜５１４に対応するコマンドは、画面５２１上の物に関連付け、視聴者側装置３００が閲覧した物に対応する商品情報をメモリユニット３４０内の一時保存領域３４１内に保存する。商品情報が商品番号とすることができ、インタラクティブなメニュー情報は、商品番号に対応する商品項目、内容説明、使用説明、業者情報等のデータを更に含む。よって、処理ユニット３３０は、商品番号に基づいてインタラクティブなメニュー情報内から対応商品のデータをクエリーできる。ここで、一時保存領域３４１は、前記揮発性メモリ内に位置することができ、前記不揮発性メモリ内に位置してもよい。
インタラクティブ動画５００再生完了後、視聴者側装置３００は信号配信ユニット３６０を通じて購入確認メッセージをユーザー装置に伝送できる。購入確認メッセージは、一時保存領域３４１内に保存されている商品情報を含み、インタラクティブ動画５００の視聴時ユーザーに購入希望商品を確認又は選択させることができる。ここで、購入確認メッセージは、電子メール、ショートメッセージ等の方式で伝送されることができる。信号配信ユニット３６０は、有線ネットワーク又は無線ネットワーク、或いは２Ｇ、３Ｇ、４Ｇ等のモバイル通信技術をサポートできる。ここで、ユーザー装置は、ユーザーが所持する携帯電話、コンピュータ等の電子機器若しくはユーザー身分でログインした携帯電話、コンピュータ等の電子機器とすることができる。
【００３８】
一実施例において、信号配信ユニット３６０は、購入確認メッセージをユーザー装置に定時伝送できる。別の実施例において、ユーザーは、リモコン４００を通じて一時保存領域３４１内に保存されている商品情報を送出するかどうかを決定できる。すなわち、ユーザーはリモコン４００上のあるボタンをトリガーした後、遠隔制御受信ユニット３８０が受信した該ボタンの制御信号に応答し、処理ユニット３３０が信号配信ユニット３６０を制御して購入確認メッセージをユーザー装置に伝送し、ユーザーにユーザー装置上で購入希望商品項目を操作・確認させることで、商品注文作業を完成させる。
【００３９】
一実施例において、購入確認メッセージは、ＵＲＬリンクを含み、前記ＵＲＬリンクがショッピングウェブサイトのショッピングリストページに誘導し、ショッピングリストページのデフォルトは一時保存領域３４１内に保存されている商品情報を含み、ユーザーがショッピングリストページ上で購入しようとするそれら商品中のどの商品を確認するために供することができる。ここで、信号配信ユニット３６０は、更に一時保存領域３４１内に保存されている商品情報を該ショッピングウェブサイトに伝送することで、ショッピングウェブサイトがショッピングリストページを生成するために供する。
【００４０】
一実施例において、インタラクティブ動画配信装置２００の通信ユニット２２０が、インターネットプロトコルテレビジョンの通信フォーマットの通信設備である場合、処理ユニット３３０がオンスクリーンディスプレイに一時保存領域３４１内の商品情報を表示してユーザーに購入希望商品を確認させることができる。次に、信号配信ユニット３６０は購入希望商品項目をインタラクティブ動画配信装置２００に返送し、インタラクティブ動画配信装置２００が購入希望商品項目をショッピングウェブサイトに伝送することで、商品注文作業を完成させる。或いは、信号配信ユニット３６０は、直接購入希望商品項目をショッピングウェブサイトに伝送することで、商品注文作業を完成させる。
【００４１】
[実施例２]
図８は、本発明の実施例２に係るインタラクティブ動画配信システム１００の構成図である。図９は、本発明の実施例２に係るインタラクティブ動画配信システム１００のブロック図である。
図８及び図９を一緒に参照する。前記実施例１との相違点は、本実施例の視聴者側装置３００がインターネットに接続する機器３９０（例えば携帯電話、コンピュータ等で、ここで携帯電話を例にする）であり、処理ユニット３３０とメモリユニット３４０と映像音声出力ユニット３７０とネットワークユニット３５１と入力ユニット３８１と、を含む点である。処理ユニット３３０、メモリユニット３４０、映像音声出力ユニット３７０は、前記実施例１と同じであるため、ここでその説明を省略する。
ネットワークユニット３５１は、有線ネットワーク又は無線ネットワークの通信モジュールをサポートする。入力ユニット３８１は、タッチスクリーン、マウス、キーボード等の入力インターフェースとすることができる。インターネットに接続する機器３９０のメモリユニット３４０は、コンピュータプログラム商品を保存して処理ユニット３３０が実行するために供する。前記コンピュータプログラム商品を通じてインターネットに接続する機器３９０は、インタラクティブ動画配信装置２００にリンクしてインタラクティブ動画５００及び対応するインタラクティブなメニュー情報を取得できる。
【００４２】
実施例２において、インタラクティブビデオクリップ５１０の画面が同様に複数のインタラクティブな選択項目５１１、５１２、５１３、５１４を有し、実施例１との相違点は、ユーザーが直接入力ユニット３８１を通じてインタラクティブな選択項目５１１、５１２、５１３、５１４をトリガーできることである。インタラクティブな選択項目５１１、５１２、５１３、５１４に対応するコマンドは、実施例１で記載されているものと同じため、ここでその説明を省略する。
インターネットに接続する機器３９０は、閲覧した商品項目を表示してユーザーに購入希望商品を確認させることができる。次に、ネットワークユニット３５１から購入希望商品項目をインタラクティブ動画配信装置２００に返送し、インタラクティブ動画配信装置２００から購入希望商品項目をショッピングウェブサイトに伝送することで、商品注文作業を完成させる。或いは、ネットワークユニット３５１は、直接購入希望商品項目をショッピングウェブサイトに伝送することで、商品注文作業を完成させることができる。
【００４３】
上記をとりまとめると、本発明の実施例に係るインタラクティブ動画配信システム１００及びインタラクティブ動画配信装置２００は、ユーザーにインタラクティブ動画５００を提供でき、かつインタラクティブな選択項目５１１〜５１４の簡単な操作を通じてユーザーがインタラクティブ動画５００に対しインタラクティブ操作（例えばショッピング、背景情報視聴）を行わせることができ、かつ各種動画配信及び再生技術応用に適用される。
【００４４】
インタラクティブ動画及びそのインタラクティブビデオクリップの再生により広いインタラクティブ可能性を提供させるため、前記図１乃至図９の各実施例で開示されているインタラクティブ動画５００及びインタラクティブな選択項目５１１、５１２、５１３、５１４、５１５、５１６によれば、表示ウェイトの設定を通じてインタラクティブ動画５００の各インタラクティブビデオクリップ５１０を再生している時いずれかのインタラクティブな選択項目５１１、５１２、５１３、５１４、５１５、５１６の表示時間率を制御できるだけではなく、いずれかのインタラクティブな選択項目５１１、５１２、５１３、５１４、５１５、５１６の選択に基づいて、選択したインタラクティブな選択項目５１１、５１２、５１３、５１４、５１５、５１６のいずれかが対応する複数の特定インタラクティブビデオクリップ５１０をキャプチャーして非リニア再生を行い、同時に選択したインタラクティブな選択項目５１１、５１２、５１３、５１４、５１５、５１６のいずれかが表示する動画要素に非リニア再生時表示ウェイトの自動調整があることで、配信及び視聴両側装置のインタラクティブ効果を向上する。
本発明の各実施例のインタラクティブな選択項目は、その上に表示される動画要素を有し、かつ前記動画要素が再生中のインタラクティブ動画及びインタラクティブビデオクリップ中に出現した可視オブジェクトに対応し、インタラクティブな選択項目は、後続作業或いはステップをトリガーするため、リンク又は機能定義コマンドがあらかじめ設定されている。
【００４５】
[実施例３、４]
図１０Ａ及び図１０Ｂを参照する。図１０Ａは、本発明の実施例３に係るインタラクティブ動画配信システム１００のブロック図である。図１０Ｂは、本発明の実施例４に係るインタラクティブ動画配信システム１００のブロック図である。
【００４６】
図１０Ａ及び図１０Ｂにおいて、インタラクティブ動画配信装置２００は、１台又は複数台のサーバーで実現でき、ストレージユニット２１０と通信ユニット２２０とプロセッサ２５０と制御回路（すなわち、図内の接続ケーブルであり、符号はない）と、を含む。制御回路は、回路基板、フレキシブルプリント回路、母線、ブリッジ回路、集積回路又は各々直接的或いは間接的、稼働できるようにプロセッサ２５０、ストレージユニット２１０及び通信ユニット２２０に電気的に接続できる他の方式を通じて実現できる。プロセッサ２５０は、制御回路を通じてストレージユニット２１０及び通信ユニット２２０に稼働できるように電気的に接続し、１個或いは複数の処理素子で実現することで、接続する素子を制御できる。
各処理素子は、例えばマイクロプロセッサ、マイクロコントローラ、デジタル信号プロセッサ、マイクロコンピュータ、中央処理装置、フィールドプログラマブルゲートアレイ、プログラマブルロジックデバイス、ステートマシン、ロジック回路、アナログ回路、デジタル回路及び／又は操作コマンドの操作信号（アナログ及び／又はデジタル）に基づく設備等とすることができる。異なる実施例において、映像音声出力ユニット３７０は、インタラクティブ動画５００、インタラクティブビデオクリップ５１０及びインタラクティブな選択項目５１１、５１２、５１３、５１４、５１５、５１６を投影して表示するため、例えば投影装置、ＶＲ機器（ゴーグル或いはヘッドセット）、ホログラフィ装置又はその他の平面投影装置或いは３次元投影装置の異なる映像出力装置を含み、前記異なるタイプの映像出力装置及びその映像音声出力ユニット３７０を組み合わせると、入力ユニット３８１は、ユーザーがインタラクティブ動画５００、インタラクティブビデオクリップ５１０及びインタラクティブな選択項目５１１、５１２、５１３、５１４、５１５、５１６を選択又は操作した各種制御信号を受信するため、マシンビジョン技術に基づくジェスチャ検知設備或いは動き検知設備を含むことができ、ジャイロスコープ、タッチ、ジェスチャ、動き検知、体感操作の様々なウェアラブル型或いは携帯型装置を含む又は含まないことができる。
また、インタラクティブ動画配信装置２００及び視聴者側装置３００、３９０は、ストレージユニット２１０及びメモリユニット３４０に保存されている各々異なるプログラムコードを有し、処理ユニット３３０及びプロセッサ２５０が前記異なるプログラムコードに対し各々キャプチャー及び実行し、インタラクティブ動画配信装置２００及び視聴者側装置３００、３９０上でインタラクティブ動画の配信及び再生方法の各ステップを各々行う。
視聴者側装置３００は、各々信号受信ユニット３５０及び信号配信ユニット３６０を通じてインタラクティブ動画及びインタラクティブ動画情報を受信すると共に各種制御信号を配信し、視聴者側装置３９０がネットワークユニット３５１を通じて前記作業を完成させる。ここで、用語「ネットワークユニット」は幅広い意味を有し、各種対外通信の素子の組み合わせをカバーできることが当業者に理解できる。インタラクティブ動画配信システム１００に配置される他の構成要素に関しては、図１０Ａと図１０Ｂ内及び関連或いは後続で言及する実施例と説明において、前記図１乃至図９の関連記述を参照し、以下でその説明を省略する。
【００４７】
[実施例５]
図１１Ａ、図１１Ｂ、図１１Ｃ、図１１Ｄ、図１１Ｅ及び図１０Ａ及び図１０Ｂを参照する。図１１Ａは、本発明の実施例５に係るインタラクティブ動画の配信及び再生方法のフローチャートであり、図１１Ｂは、本発明の実施例５に係るインタラクティブ動画ＥＰ０１、ＥＰ０２、ＥＰ０３、ＥＰ０４…ＥＰ０９、ＥＰ１０、ＥＰ１１、ＥＰ１２の（リニア）配信及び再生方法の構成図であり、図１１Ｃは、本発明の実施例５に係るインタラクティブ動画ＥＰ０１、ＥＰ０２、ＥＰ０３、ＥＰ０４…ＥＰ０９、ＥＰ１０、ＥＰ１１、ＥＰ１２のリニア配信及び再生時に用いるリニアリファレンス表Ｔ１、Ｔ２、Ｔ３、Ｔ４…Ｔ９、Ｔ１０、Ｔ１１、Ｔ１２を示す模式図であり、図１１Ｄは、本発明の実施例５に係るインタラクティブ動画ＥＰ０１、ＥＰ０２、ＥＰ０３、ＥＰ０４…ＥＰ０９、ＥＰ１０、ＥＰ１１、ＥＰ１２のインタラクティブビデオクリップＥＰ０１−Ｓ０１、ＥＰ０１−Ｓ０２、…、ＥＰ０１−Ｓ０４、…、ＥＰ０１−Ｓ２４、ＥＰ０１−Ｓ２５の画面５２１を示す模式図である。
図１１Ｅは、本発明の実施例５に係るインタラクティブ動画ＥＰ０１のインタラクティブビデオクリップＥＰ０１−Ｓ０２が持つ複数の分解画像レイヤＬ０１、Ｌ０２、Ｌ０３をインタラクティブな選択項目５１１、５１２、５１３、５１４上に重ね合わせた画面５２１を示す模式図である。図１１Ａにおいて、インタラクティブ動画の配信及び再生方法は、少なくともステップ６１０、６２０、６３０、６４０、６５０、６６０を含み、ステップ６３０、６４０、６５０がインタラクティブ動画の配信方法に関するものであり，ステップ６１０、６２０、６６０がインタラクティブ動画の再生方法に関するものである。
【００４８】
ステップ６１０において、インタラクティブメニュー上に複数のインタラクティブ動画のインタラクティブな選択項目を表示する。
図１１Ｂ、図１０Ａ、図１０Ｂに示すように、インタラクティブ動画配信装置２００の複数のインタラクティブ動画ＥＰ０１、ＥＰ０２、ＥＰ０３、ＥＰ０４…ＥＰ０９、ＥＰ１０、ＥＰ１１、ＥＰ１２は、ストレージユニット２１０に保存される。実現方式は、視聴者側装置３００、３９０の処理ユニット３３０が映像音声出力ユニット３７０を通じてインタラクティブメニュー（図１３Ａ、図１３ＢのインタラクティブメニューＭＵ０１、ＭＵ００）を出力し、インタラクティブメニュー上に複数のインタラクティブ動画ＥＰ０１、ＥＰ０２、ＥＰ０３、ＥＰ０４…ＥＰ０９、ＥＰ１０、ＥＰ１１、ＥＰ１２のインタラクティブな選択項目（図１３Ａ、図１３Ｂのインタラクティブな選択項目は、符号を指定しておらず、視覚的表現を図るため、対応するインタラクティブ動画の符号のみを示す）を表示してユーザーにクリック操作させる。
【００４９】
図１１Ｂに示すように、インタラクティブ動画ＥＰ０１は、長さが異なる複数のインタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５を含み、インタラクティブ動画ＥＰ０２は、長さが異なる複数のインタラクティブビデオクリップＥＰ０２−Ｓ０１、ＥＰ０２−Ｓ０２…ＥＰ０２−Ｓ０６…ＥＰ０２−Ｓ２６、ＥＰ０２−Ｓ２７を含み、インタラクティブ動画ＥＰ０３は、長さが異なる複数のインタラクティブビデオクリップＥＰ０３−Ｓ０１、ＥＰ０３−Ｓ０２…ＥＰ０３−Ｓ０５…ＥＰ０３−Ｓ２３、ＥＰ０３−Ｓ２４を含み、インタラクティブ動画ＥＰ０４は、長さが異なる複数のインタラクティブビデオクリップＥＰ０４−Ｓ０１、ＥＰ０４−Ｓ０２…ＥＰ０４−Ｓ０７…ＥＰ０４−Ｓ３２、ＥＰ０４−Ｓ３３を含み、インタラクティブ動画ＥＰ０９は、長さが異なる複数のインタラクティブビデオクリップＥＰ０９−Ｓ０１、ＥＰ０９−Ｓ０２…ＥＰ０９−Ｓ０６…ＥＰ０９−Ｓ２６、ＥＰ０９−Ｓ２７を含み、インタラクティブ動画ＥＰ１０は、長さが異なる複数のインタラクティブビデオクリップＥＰ１０−Ｓ０１、ＥＰ１０−Ｓ０２…ＥＰ１０−Ｓ０５…ＥＰ１０−Ｓ２３、ＥＰ１０−Ｓ２４を含み、インタラクティブ動画ＥＰ１１は、長さが異なる複数のインタラクティブビデオクリップＥＰ１１−Ｓ０１、ＥＰ１１−Ｓ０２…ＥＰ１１−Ｓ０８…ＥＰ１１−Ｓ２７、ＥＰ１１−Ｓ２８を含み、インタラクティブ動画ＥＰ１２は、長さが異なる複数のインタラクティブビデオクリップＥＰ１２−Ｓ０１、ＥＰ１２−Ｓ０２…ＥＰ１２−Ｓ０９…ＥＰ１２−Ｓ２９、ＥＰ１２−Ｓ３０を含む。
【００５０】
ステップ６２０において、第１インタラクティブ動画が選択されたことを指示する制御信号を受信すると共に伝送する。ユーザーが選択した第１インタラクティブ動画は、インタラクティブ動画ＥＰ０１、ＥＰ０２、ＥＰ０３、ＥＰ０４…ＥＰ０９、ＥＰ１０、ＥＰ１１、ＥＰ１２のいずれかとすることができる。ユーザーは、遠隔制御受信ユニット３８０或いは入力ユニット３８１を通じて選択操作を行い、処理ユニット３３０が遠隔制御受信ユニット３８０或いは入力ユニット３８１を通じて入力した制御信号を受信し、前記制御信号は選択したインタラクティブ動画ＥＰ０１、ＥＰ０２、ＥＰ０３、ＥＰ０４…ＥＰ０９、ＥＰ１０、ＥＰ１１、ＥＰ１２のうちのいずれか、すなわち、第１インタラクティブ動画であることを指示する。
この制御信号は、処理ユニット３３０が信号配信ユニット３６０又はネットワークユニット３５１を通じてインタラクティブ動画配信装置２００に配信される。ユーザーが特定のインタラクティブ動画ＥＰ０１、ＥＰ０２、ＥＰ０３、ＥＰ０４…ＥＰ０９、ＥＰ１０、ＥＰ１１、ＥＰ１２の再生を選択することではなく、全部再生を選択した場合、ステップ６１０が絶対に必要なものではなく、或いは視聴者側装置３００、３９０は、自動的に前回再生終了時点から再生した場合、ステップ６１０、６２０、６３０は絶対に必要なものではなく、視聴者側装置３００、３９０又はインタラクティブ動画配信システム２００に保存されている前回再生記録に依存するだけで、再生できる。
【００５１】
ステップ６３０において、第１インタラクティブ動画が選択されたことを指示する制御信号を受信する。インタラクティブ動画配信装置２００のプロセッサ２５０は、通信ユニット２２０を通じて該第１インタラクティブ動画が選択されたことを指示する制御信号を受信する。
【００５２】
ステップ６４０において、リニア再生リストを生成する。前記リニア再生リストは、リニア動画再生シーケンスＥＳ０１及びリニアクリップ再生シーケンスＳＳ０１、ＳＳ０２、ＳＳ０３、ＳＳ０４…ＳＳ０９、ＳＳ１０、ＳＳ１１、ＳＳ１２の順序に基づいて、インタラクティブ動画ＥＰ０１、ＥＰ０２、ＥＰ０３、ＥＰ０４…ＥＰ０９、ＥＰ１０、ＥＰ１１、ＥＰ１２及びそのインタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５、ＥＰ０２−Ｓ０１、ＥＰ０２−Ｓ０２…ＥＰ０２−Ｓ０６…ＥＰ０２−Ｓ２６、ＥＰ０２−Ｓ２７、ＥＰ０３−Ｓ０１、ＥＰ０３−Ｓ０２…ＥＰ０３−Ｓ０５…ＥＰ０３−Ｓ２３、ＥＰ０３−Ｓ２４、ＥＰ０４−Ｓ０１、ＥＰ０４−Ｓ０２…ＥＰ０４−Ｓ０７…ＥＰ０４−Ｓ３２、ＥＰ０４−Ｓ３３、ＥＰ０９−Ｓ０１、ＥＰ０９−Ｓ０２…ＥＰ０９−Ｓ０６…ＥＰ０９−Ｓ２６、ＥＰ０９−Ｓ２７、ＥＰ１０−Ｓ０１、ＥＰ１０−Ｓ０２…ＥＰ１０−Ｓ０５…ＥＰ１０−Ｓ２３、ＥＰ１０−Ｓ２４、ＥＰ１１−Ｓ０１、ＥＰ１１−Ｓ０２…ＥＰ１１−Ｓ０８…ＥＰ１１−Ｓ２７、ＥＰ１１−Ｓ２８、ＥＰ１２−Ｓ０１、ＥＰ１２−Ｓ０２…ＥＰ１２−Ｓ０９…ＥＰ１２−Ｓ２９、ＥＰ１２−Ｓ３０の再生順序を手配する。
【００５３】
言い換えると、リニア再生モード（例えば第１インタラクティブ動画が選択される）において、インタラクティブ動画配信装置２００のプロセッサ２５０は、リニア動画再生シーケンスＥＳ０１及びリニアクリップ再生シーケンスＳＳ０１、ＳＳ０２、ＳＳ０３、ＳＳ０４…ＳＳ０９、ＳＳ１０、ＳＳ１１、ＳＳ１２に基づいて、ストレージユニット２１０においてインタラクティブ動画ＥＰ０１、ＥＰ０２、ＥＰ０３、ＥＰ０４…ＥＰ０９、ＥＰ１０、ＥＰ１１、ＥＰ１２のキャプチャー及び視聴者側装置３００、３９０への配信作業を行い、視聴者側装置３００、３９０がリニア再生モードにおいてもインタラクティブ動画ＥＰ０１、ＥＰ０２、ＥＰ０３、ＥＰ０４…ＥＰ０９、ＥＰ１０、ＥＰ１１、ＥＰ１２の受信順によって再生する。リニア動画再生シーケンスＥＳ０１が含む再生順序はインタラクティブ動画ＥＰ０１、ＥＰ０２、ＥＰ０３、ＥＰ０４…ＥＰ０９、ＥＰ１０、ＥＰ１１、ＥＰ１２の順とする。
インタラクティブ動画ＥＰ０１にとって、リニアクリップ再生シーケンスＳＳ０１の再生順序は、インタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５の順とする。インタラクティブ動画ＥＰ０２にとって、リニアクリップ再生シーケンスＳＳ０２の再生順序は、インタラクティブビデオクリップＥＰ０２−Ｓ０１、ＥＰ０２−Ｓ０２…ＥＰ０２−Ｓ０６…ＥＰ０２−Ｓ２６、ＥＰ０２−Ｓ２７の順とする。インタラクティブ動画ＥＰ０３にとって、リニアクリップ再生シーケンスＳＳ０３の再生順序は、インタラクティブビデオクリップＥＰ０３−Ｓ０１、ＥＰ０３−Ｓ０２…ＥＰ０３−Ｓ０５…ＥＰ０３−Ｓ２３、ＥＰ０３−Ｓ２４の順とする。インタラクティブ動画ＥＰ０４にとって、リニアクリップ再生シーケンスＳＳ０４の再生順序は、インタラクティブビデオクリップＥＰ０４−Ｓ０１、ＥＰ０４−Ｓ０２…ＥＰ０４−Ｓ０７…ＥＰ０４−Ｓ３２、ＥＰ０４−Ｓ３３の順とする。インタラクティブ動画ＥＰ０９にとって、リニアクリップ再生シーケンスＳＳ０９の再生順序は、インタラクティブビデオクリップＥＰ０９−Ｓ０１、ＥＰ０９−Ｓ０２…ＥＰ０９−Ｓ０６…ＥＰ０９−Ｓ２６、ＥＰ０９−Ｓ２７の順とする。インタラクティブ動画ＥＰ１０にとって、リニアクリップ再生シーケンスＳＳ１０の再生順序は、インタラクティブビデオクリップＥＰ１０−Ｓ０１、ＥＰ１０−Ｓ０２…ＥＰ１０−Ｓ０５…ＥＰ１０−Ｓ２３、ＥＰ１０−Ｓ２４の順とする。インタラクティブ動画ＥＰ１１にとって、リニアクリップ再生シーケンスＳＳ１１の再生順序は、インタラクティブビデオクリップＥＰ１１−Ｓ０１、ＥＰ１１−Ｓ０２…ＥＰ１１−Ｓ０８…ＥＰ１１−Ｓ２７、ＥＰ１１−Ｓ２８の順とする。インタラクティブ動画ＥＰ１２にとって、リニアクリップ再生シーケンスＳＳ１２の再生順序は、インタラクティブビデオクリップＥＰ１２−Ｓ０１、ＥＰ１２−Ｓ０２…ＥＰ１２−Ｓ０９…ＥＰ１２−Ｓ２９、ＥＰ１２−Ｓ３０の順とする。
【００５４】
図１１Ｃにおいて、前述リニア再生リストは、複数のリニアリファレンス表Ｔ１、Ｔ２、Ｔ３、Ｔ４…Ｔ９、Ｔ１０、Ｔ１１、Ｔ１２の一部又は全部で構成され、インタラクティブ動画配信装置２００のストレージユニット２１０に保存されることができ、インタラクティブ動画ＥＰ０１、ＥＰ０２、ＥＰ０３、ＥＰ０４…ＥＰ０９、ＥＰ１０、ＥＰ１１、ＥＰ１２に各々対応する。説明の便宜を図るため、リニアリファレンス表Ｔ１を一部省略する。
リニアリファレンス表Ｔ１、Ｔ２、Ｔ３、Ｔ４…Ｔ９、Ｔ１０、Ｔ１１、Ｔ１２は、各々「再生シーケンス」、「インタラクティブビデオクリップ識別子」、「インタラクティブ動画識別子」、「開始時刻」、「終了時刻」、「インタラクティブな選択項目色」、「動画要素タイプ」、「動画要素識別子」、「表示ウェイト」等の欄を包括る。リニアリファレンス表Ｔ１、Ｔ２、Ｔ３、Ｔ４…Ｔ９、Ｔ１０、Ｔ１１、Ｔ１２内の各欄の情報は、前記インタラクティブなメニュー情報の一部と見なすことができる。以下の各欄の定義は、全てのリニアリファレンス表Ｔ１、Ｔ２、Ｔ３、Ｔ４…Ｔ９、Ｔ１０、Ｔ１１、Ｔ１２に適用される。
【００５５】
「再生シーケンス」欄のデータは、リニアクリップ再生シーケンスＳＳ０１の再生順序に対応し、リニアクリップ再生シーケンスＳＳ０１の具体的実現方式と見なすことができる。
【００５６】
「インタラクティブビデオクリップ識別子」欄のデータは、インタラクティブ動画ＥＰ０１の各インタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５の独立した識別根拠である。
【００５７】
「インタラクティブ動画識別子」欄のデータは、各インタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５が対応するインタラクティブ動画ＥＰ０１の「インタラクティブ動画識別子」である。
【００５８】
「開始時刻」欄のデータは、各インタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５の再生開始時刻である。「終了時刻」欄のデータは、各インタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５の再生終了時刻である。
【００５９】
「動画要素タイプ」欄のデータは、各インタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５のインタラクティブな選択項目（例えば図１１Ｄのインタラクティブな選択項目５１１、５１２、５１３、５１４）上に出現する動画要素のタイプであり、例えば役割、商品、シーン等又は図４、図１１Ｄの画面５２１上のインタラクティブな選択項目５１１に表示する「服装」、インタラクティブな選択項目５１２に表示する「アクセサリー」、インタラクティブな選択項目５１３に表示する「道具」、インタラクティブな選択項目５１４に表示する「優遇」或いは図５に示す画面５２２上のインタラクティブな選択項目５１１に表示する「アクセサリー」、インタラクティブな選択項目５１２に表示する「シーン」、インタラクティブな選択項目５１３に表示する「服装」、インタラクティブな選択項目５１４に表示する「道具」、図６に示す画面５２３上のインタラクティブな選択項目５１１に表示する「歴史」、インタラクティブな選択項目５１２に表示する「地図」、インタラクティブな選択項目５１３に表示する「天気」、インタラクティブな選択項目５１４に表示する「優遇」等である。
本発明において、各種動画要素又は動画要素識別子は、各画面を構成するため、特定の可視オブジェクト（動画のマスターフィルムを撮影する時、撮影現場で実際に出現する役割、服装、道具、商品、シーン…或いは動画撮影終了後、後制作・編集を行う時加えたコンピュータ平面、立体オブジェクト、吹替、付随音楽等若しくは視聴者側装置の再生過程にその上に付加したもの）に対応し、それら可視オブジェクトが各々全てのインタラクティブ動画の全てのインタラクティブビデオクリップ内に出現し、そのタイプは前述の通りとする。ただし、各動画要素が各リニアリファレンス表内の欄に及ぶことはない。
【００６０】
「動画要素識別子」欄のデータは、前記動画要素の個別識別根拠である。例えば図１１Ｄ内のインタラクティブ動画ＥＰ０１のインタラクティブビデオクリップＥＰ０１−Ｓ０２のある画面５１２では役割ＡＣ０７（役割名：「李」）、役割ＡＣ０６（役割名：「顔」）、商品ＧＤ０２（商品名：「ペンダント」）、シーンＬＣ０２（シーン名：「別荘」）等の４個の動画要素を少なくとも表示し、ＡＣ０７、ＡＣ０６、ＧＤ０２、ＬＣ０２が各々役割「李」、役割「顔」Ｇ、商品「ペンダント」、シーン「別荘」等の４個の動画要素のリニアリファレンス表Ｔ１における「動画要素識別子」である。「動画要素識別子」欄以外に、各リニアリファレンス表Ｔ１、Ｔ２、Ｔ３、Ｔ４…Ｔ９、Ｔ１０、Ｔ１１、Ｔ１２も欄データに対応する「動画要素名」及びその「動画要素識別子」欄データに対応する「動画要素名」を含む場合もあり、或いは「動画要素識別子」欄データが均しく図４、図１１Ｄのようなインタラクティブな選択項目５１１、５１２、５１３、５１４に表示するために用いられる場合もある。
特定「インタラクティブビデオクリップ識別子」と関連付ける「動画要素名」或いは「動画要素識別子」は、「動画要素名」或いは「動画要素識別子」が対応する動画要素は、実際に該特定「インタラクティブビデオクリップ識別子」が代表又は対応するインタラクティブビデオクリップ内に出現するだけではなく、「動画要素名」或いは「動画要素識別子」も「インタラクティブビデオクリップ識別子」が対応するインタラクティブビデオクリップ上の関連するインタラクティブな選択項目上に出現できることを意味している。
幾つかの実施例において、動画要素名も直接動画要素識別子として使用できる。幾つかの実施例において、インタラクティブ動画、インタラクティブビデオクリップ、インタラクティブな選択項目、動画要素が用いる「識別子」（ｉｄｅｎｔｉｆｉｅｒ）、すなわち、インタラクティブ動画識別子、インタラクティブビデオクリップ識別子、インタラクティブな選択項目識別子、動画要素識別子等は、名称（ｔｉｔｌｅ）、識別コード（ｉｄｅｎｔｉｔｙ  ｃｏｄｅ）又は画像或いはその他の関連情報（例えばインタラクティブな選択項目色のデータ）等として指定することで、リニアリファレンス表、非リニアリファレンス表或いはインタラクティブな選択項目上に表示されることができる。識別子として用いられる名称は、文字で構成でき、識別コードは、コンピュータ読取や表示可能な英数字及び／又は文字／記号で構成でき、画像は、任意の形式のコンピュータ読取や表示可能なイメージファイルとすることができる。
【００６１】
「インタラクティブな選択項目色」欄のデータは、各「動画要素識別子」が対応する（表示する）インタラクティブな選択項目（例えば図４、図１１Ｄのインタラクティブな選択項目５１１、５１２、５１３、５１４）のカラーである。図４、図１１Ｄのインタラクティブな選択項目５１１、５１２、５１３、５１４は、各々赤・緑・黄・青の４色とすることができる。各インタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５は、均しく同じ数量のインタラクティブな選択項目色、例えば赤・緑・黄・青の４色のみがあるが、各インタラクティブな選択項目色が各々単一又は複数の動画要素識別子に対応する場合もある。
例えば、インタラクティブビデオクリップＥＰ０１−Ｓ０１のインタラクティブな選択項目色の赤・緑・黄・青の４色は、各々４個の動画要素識別子ＡＣ０６、ＡＣ１１、ＧＤ０３、ＬＣ０１に対応する。ただし、インタラクティブビデオクリップＥＰ０１−Ｓ０２は、同じようにインタラクティブな選択項目色、例えば赤・緑・黄・青の４色を有するが、６個の動画要素識別子ＡＣ０７、ＡＣ０４、ＡＣ０３、ＡＣ０６、ＧＤ０２、ＬＣ０２に対応し、動画要素識別子ＡＣ０４、ＡＣ０３、ＡＣ０６は均しくインタラクティブな選択項目色の緑色に対応し、これはインタラクティブビデオクリップＥＰ０１−Ｓ０２の再生期間において、動画要素識別子ＡＣ０４、ＡＣ０３、ＡＣ０６又はその対応する動画要素名がインタラクティブな選択項目の緑色箇所（例えば図４、図１１Ｄのインタラクティブな選択項目５１２）に順番出現されることを意味している。「インタラクティブな選択項目色」欄のカラーデータも図４、図１１Ｄのようなインタラクティブな選択項目５１１、５１２、５１３、５１４の「インタラクティブな選択項目識別子」として見なすことができる。必要がある場合、より繊細な制御を行うため、インタラクティブビデオクリップが含む複数の画面も各々画面識別子を割り当てることができる。
【００６２】
「表示ウェイト」欄のデータは、インタラクティブビデオクリップ（例えばインタラクティブビデオクリップＥＰ０１−Ｓ０１）の再生期間において、動画要素がインタラクティブな選択項目（例えば図４、図１１Ｄのインタラクティブな選択項目５１１、５１２、５１３、５１４）上に表示される時間百分率のデータである。複数の動画要素識別子が１個のインタラクティブな選択項目（或いはインタラクティブな選択項目色）に対応する時、例えば図１１ＤにおいてインタラクティブビデオクリップＥＰ０１−Ｓ０１の動画要素識別子ＡＣ０４、ＡＣ０３、ＡＣ０６は均しく緑色のインタラクティブな選択項目に対応し、インタラクティブビデオクリップＥＰ０１−Ｓ０２の再生期間（開始時刻００．０２．２２．１９から終了時刻００．０４．４２．０９まで、計２分１９秒５０）において、動画要素識別子ＡＣ０４、ＡＣ０３、ＡＣ０６又はその対応する動画要素名がインタラクティブな選択項目の緑色箇所（例えば図４、図１１Ｄのインタラクティブな選択項目５１２）に順番出現されることを意味している。
動画要素識別子ＡＣ０４が対応する表示ウェイト４０は、動画要素識別子ＡＣ０４がインタラクティブビデオクリップＥＰ０１−Ｓ０２再生の２分１９秒５０期間において、４０％の時間でインタラクティブな選択項目５１２上に表示されることを示し、同様に、動画要素識別子ＡＣ０３が対応する表示ウェイトも４０であり、動画要素識別子ＡＣ０３がインタラクティブビデオクリップＥＰ０１−Ｓ０２再生の２分１９秒５０期間において、別の４０％の時間でインタラクティブな選択項目５１２上に表示されることを示し、最後に、動画要素識別子ＡＣ０６が対応する表示ウェイトは２０であり、動画要素識別子ＡＣ０６がインタラクティブビデオクリップＥＰ０１−Ｓ０２再生の２分１９秒５０期間において、残りの２０％時間でインタラクティブな選択項目５１２上に表示されるだけを示している。
各動画要素（動画要素識別子或いは動画要素名、例えば動画要素識別子ＡＣ０６或いは動画要素名「顔」）の特定インタラクティブな選択項目（例えば図４、図１１Ｄのインタラクティブな選択項目５１２）における表示ウェイトは、ユーザーの異なる操作行為によって変更する場合もある。追加欄は、特定時間情報を有し、例えば動画要素識別子ＡＣ０４、ＡＣ０３、ＡＣ０６がインタラクティブビデオクリップＥＰ０１−Ｓ０２再生期間において、インタラクティブな選択項目５１２に表示される実際の開始時刻及び終了時刻であり、正確にインタラクティブ動画配信装置２００におけるキャプチャー／配信及び視聴者側装置３００，３９０における受信／再生を行うため、リニアリファレンス表Ｔ１内に取り込むことができる。
【００６３】
残りのリニアリファレンス表Ｔ２、Ｔ３、Ｔ４…Ｔ９、Ｔ１０、Ｔ１１、Ｔ１２は、リニアリファレンス表Ｔ１と近似する欄及びデータ構造がある。説明の便宜を図るため、リニアリファレンス表Ｔ１、Ｔ２、Ｔ３、Ｔ４…Ｔ９、Ｔ１０、Ｔ１１、Ｔ１２のデータ構成は、マトリクス表で表現するが、ストレージユニット２１０において、用いる異なるデータベースアプリケーションプログラムのフォーマットによってリニアリファレンス表Ｔ１、Ｔ２、Ｔ３、Ｔ４…Ｔ９、Ｔ１０、Ｔ１１、Ｔ１２は異なる実現可能なデータ構成を有する。
【００６４】
更に、幾つかの実施例において、全部のインタラクティブ動画ＥＰ０１、ＥＰ０２、ＥＰ０３、ＥＰ０４…ＥＰ０９、ＥＰ１０、ＥＰ１１、ＥＰ１２を含む１つの完全なリニア動画再生リストは、すでにストレージユニット２１０に保存されている場合、プロセッサ２５０がストレージユニット２１０からキャプチャーして使用するだけでよく、ステップ６４０が絶対に必要なものではない。
【００６５】
図１１Ｅにおいて、インタラクティブ動画ＥＰ０１のインタラクティブビデオクリップＥＰ０１−Ｓ０２が持つ複数の分解画像レイヤＬ０１、Ｌ０２、Ｌ０３は、画面５２１の領域Ｐ１、Ｐ２、Ｐ３、Ｐ４上に重ね合わせてインタラクティブな選択項目５１１、５１２、５１３、５１４を構成する。
画像レイヤＬ０１は、インタラクティブな選択項目の画像ＯＰ５１１、ＯＰ５１２、ＯＰ５１３、ＯＰ５１４を含み、各々画面５２１の領域Ｐ１、Ｐ２、Ｐ３、Ｐ４上に対応し、画像レイヤＬ０２は、コマンドＣＡ０７、ＣＡ０６、ＣＧ０２、ＣＬ０２を含み、各々画像レイヤ０１のインタラクティブな選択項目の画像ＯＰ５１１、ＯＰ５１２、ＯＰ５１３、ＯＰ５１４及び画面５２１の領域Ｐ１、Ｐ２、Ｐ３、Ｐ４に対応し、画像レイヤＬ０３は、動画要素識別子ＡＣ０７、ＡＣ０６、ＧＤ０２、ＬＣ０２（ここで、動画要素名の”李”、”顔”、”ペンダント”、”別荘”を動画要素識別子として表現する）を含み、各々画像レイヤ０２のコマンドＣＡ０７、ＣＡ０６、ＣＧ０２、ＣＬ０２、画像レイヤ０１のインタラクティブな選択項目の画像ＯＰ５１１、ＯＰ５１２、ＯＰ５１３、ＯＰ５１４及び画面５２１の領域Ｐ１、Ｐ２、Ｐ３、Ｐ４に対応する。
【００６６】
画像レイヤ０１のインタラクティブな選択項目の画像ＯＰ５１１、ＯＰ５１２、ＯＰ５１３、ＯＰ５１４及びその関連情報（例えば映像ファイル名、映像サイズ、表示位置等）は、視聴者側装置３００／３９０のメモリユニット３４０に保存され、インタラクティブ動画配信装置２００の表示制御信号に基づいてインタラクティブ動画ＥＰ０１のインタラクティブビデオクリップＥＰ０１−Ｓ０２の画面５２１の領域Ｐ１、Ｐ２、Ｐ３、Ｐ４上に表示でき、或いはインタラクティブな選択項目の画像ＯＰ５１１、ＯＰ５１２、ＯＰ５１３、ＯＰ５１４は、インタラクティブ動画配信装置２００のストレージユニット２１０に保存され、インタラクティブ動画配信装置２００の表示制御信号と伴にキャプチャーして視聴者側装置３００／３９０に配信して視聴者側装置３００／３９０が受信及び表示することができる。
【００６７】
画像レイヤ０２のコマンドＣＡ０７、ＣＡ０６、ＣＧ０２、ＣＬ０２に含まれるプログラムコードは、以下の情報とコマンドグループの組み合わせから選択され、すなわち、どのインタラクティブな選択項目に対応、画面上のどの領域に対応、どの動画要素識別子の表示制御、どのぐらい時間（更には表示の開始時刻及び終了時刻）で表示、選択後どのインタラクティブメニューを表示又はどのようなインタラクティブ操作を行う等である。
コマンドＣＡ０７、ＣＡ０６、ＣＧ０２、ＣＬ０２は、視聴者側装置３００／３９０のメモリユニット３４０に保存され、インタラクティブ動画配信装置２００の表示制御信号に基づいて、インタラクティブ動画ＥＰ０１のインタラクティブビデオクリップＥＰ０１−Ｓ０２の画面５２１の領域Ｐ１、Ｐ２、Ｐ３、Ｐ４上のインタラクティブな選択項目の画像ＯＰ５１１、ＯＰ５１２、ＯＰ５１３、ＯＰ５１４をイネーブルでき、又はコマンドＣＡ０７、ＣＡ０６、ＣＧ０２、ＣＬ０２は、インタラクティブ動画配信装置２００のストレージユニット２１０に保存され、インタラクティブ動画配信装置２００の表示制御信号と伴にキャプチャーして視聴者側装置３００／３９０に配信して視聴者側装置３００／３９０が受信及びイネーブルすることができる。
【００６８】
画像レイヤ０３の動画要素識別子ＡＣ０７、ＡＣ０６、ＧＤ０２、ＬＣ０２及びその関連情報（例えば動画要素名、動画要素画像或いは動画要素識別コード等）は、視聴者側装置３００／３９０のメモリユニット３４０に保存され、インタラクティブ動画配信装置２００の表示制御信号に基づいてインタラクティブ動画ＥＰ０１のインタラクティブビデオクリップＥＰ０１−Ｓ０２の画面５２１の領域Ｐ１、Ｐ２、Ｐ３、Ｐ４上のインタラクティブな選択項目の画像ＯＰ５１１、ＯＰ５１２、ＯＰ５１３、ＯＰ５１４上に表示し、また各々コマンドＣＡ０７，ＣＡ０６，ＣＧ０２，ＣＬ０２に対応することができる。又は動画要素識別子ＡＣ０７、ＡＣ０６、ＧＤ０２、ＬＣ０２は、インタラクティブ動画配信装置２００のストレージユニット２１０に保存され、インタラクティブ動画配信装置２００の表示制御信号と伴にキャプチャーして視聴者側装置３００／３９０に配信して視聴者側装置３００／３９０が受信及び表示することができる。
【００６９】
図１１Ｅにおいて、画像レイヤＬ０１、Ｌ０２、Ｌ０３及びそのインタラクティブな選択項目の画像ＯＰ５１１、ＯＰ５１２、ＯＰ５１３、ＯＰ５１４、コマンドＣＡ０７、ＣＡ０６、ＣＧ０２、ＣＬ０２、動画要素識別子ＡＣ０７、ＡＣ０６、ＧＤ０２、ＬＣ０２は、技術的特徴を開示するため、積層構造で表現したが異なるプログラムのアプリケーションにおいて、画像レイヤＬ０１、Ｌ０２、Ｌ０３上のインタラクティブな選択項目の画像ＯＰ５１１、ＯＰ５１２、ＯＰ５１３、ＯＰ５１４、コマンドＣＡ０７、ＣＡ０６、ＣＧ０２、ＣＬ０２、動画要素識別子ＡＣ０７、ＡＣ０６、ＧＤ０２、ＬＣ０２が異なる積層順序を有し、又はその他の非積層方式で各インタラクティブ動画の各インタラクティブビデオクリップ上に統合する場合もある。
【００７０】
ステップ６５０において、リニア再生リストに基づいて順番通り第１インタラクティブ動画の複数のインタラクティブビデオクリップ及びその関連する各動画要素の各インタラクティブな選択項目における複数の表示ウェイトをキャプチャー及び伝送する。
インタラクティブ動画配信装置２００のプロセッサ２５０は、リニア再生リストに基づいて順番通りストレージユニット２１０において第１インタラクティブ動画（例えばインタラクティブ動画ＥＰ０１）のインタラクティブビデオクリップ（例えばインタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５）及びその関連する各動画要素（例えば動画要素識別子ＡＣ０３、ＡＣ０４、ＡＣ０６、ＡＣ０７或いは動画要素名の「李」、「顔」、「ペンダント」、「別荘」）の各インタラクティブな選択項目（例えば図４、図１１Ｄの赤・緑・黄・青のインタラクティブな選択項目５１１、５１２、５１３、５１４）における複数の表示ウェイト（例えば表示ウェイトの欄値１００、４０、２０等）をキャプチャーしてから通信ユニット２２０を通じて順番通り視聴者側装置３００、３９０へ配信する。
【００７１】
ステップ６６０において、順番通り第１インタラクティブ動画の複数のインタラクティブビデオクリップ及び複数の表示ウェイトを受信すると共に第１インタラクティブ動画のインタラクティブビデオクリップを再生する時、関連するインタラクティブビデオクリップのインタラクティブな選択項目上において各動画要素が対応する表示ウェイトの時間率を表示する。
視聴者側装置３００、３９０の処理ユニット３３０は、信号受信ユニット３５０及びネットワークユニット３５０を通じて順番通り第１インタラクティブ動画（例えばインタラクティブ動画ＥＰ０１）のインタラクティブビデオクリップ（例えばインタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５）及び複数の表示ウェイト（例えば表示ウェイトの欄値１００、４０、２０等）を受信し、映像音声出力ユニット３７０において順番通り第１インタラクティブ動画の各インタラクティブビデオクリップを再生し、また関連するインタラクティブビデオクリップ（例えばインタラクティブビデオクリップＥＰ０１−Ｓ０１、ＥＰ０１−Ｓ０２…ＥＰ０１−Ｓ０４…ＥＰ０１−Ｓ２４、ＥＰ０１−Ｓ２５）のインタラクティブな選択項目（例えば図４、図１１Ｄの赤・緑・黄・青のインタラクティブな選択項目５１１、５１２、５１３、５１４）上において各動画要素（例えば動画要素識別子ＡＣ０３、ＡＣ０４、ＡＣ０６、ＡＣ０７又は動画要素名の「李」、「顔」、「ペンダント」、「別荘」）が対応する表示ウェイトの時間率を表示する。例えば、インタラクティブ動画ＥＰ０１のインタラクティブビデオクリップＥＰ０１−Ｓ０２の再生において、動画要素名の「顔」、動画要素識別子ＡＣ０６をインタラクティブな選択項目５１２上に表示する時間の長さは、対応する表示ウェイト２０の時間率に適合し、すなわち、インタラクティブビデオクリップＥＰ０１−Ｓ０２の動画の長さの２分１９秒５０の２０％の時間率である。
【００７２】
前記幾つかの実施例内で開示される表示ウェイトは、インタラクティブな選択項目で見せる動画要素の表示時間の長さ、表示確率及びクリック可能確率を制御し、従ってインタラクティブな選択項目がクリックされた後に見せるコンテンツ、例えば前記実施例で言及した様々なインタラクティブ型メニュー情報或いはインタラクティブメニューを制御してインタラクティブ動画再生過程中の異なるインタラクティブ操作の多様性を広げるために用いられる。
【００７３】
前記のように、各動画要素（動画要素識別子又は動画要素名、例えば動画要素識別子ＡＣ０６或いは動画要素名の「顔」）の特定インタラクティブな選択項目（例えば図４、図１１Ｄのインタラクティブな選択項目５１２）における表示ウェイトは、ユーザーの異なる操作行為によって変更され、従って後続インタラクティブメニューの操作中、選択される該動画要素及び該インタラクティブな選択項目が関連付ける様々な商品或いはインタラクティブ操作の出現確率を高める。
また、各インタラクティブ動画は、複数のインタラクティブビデオクリップに分割され、各々保存される独立ファイル形態で存在し、特定のインタラクティブビデオクリップ識別子を付与して各リニアリファレンス表上の互いに関連する動画要素識別子及びインタラクティブビデオクリップ識別子から、ある動画要素が出現した複数のインタラクティブビデオクリップを見つけ出して非リニア再生を行うことができる。
【００７４】
[実施例６、７]
図１２Ａ、図１２Ｂ、図１２Ｃ、図１３Ａ及び１３Ｂを参照する。図１２Ａは本発明の実施例６に係るインタラクティブ動画の配信及び再生方法のフローチャートであり、図１２Ｂは、本発明の実施例６に係るインタラクティブ動画の非リニア配信及び再生方法の構成図であり、図１２Ｃは、本発明の実施例６に係るインタラクティブ動画の非リニア配信及び再生時に用いる非リニア再生リストを示す模式図である。
図１３Ａは、本発明の実施例７に係る視聴者側装置上のインタラクティブメニューを示す模式図であり、図１３Ｂは、本発明の実施例７に係る視聴者側装置上の別のインタラクティブメニューを示す模式図である。
【００７５】
図１２Ａ内のインタラクティブ動画の配信及び再生方法は、少なくともステップ７１０、７２０、７３０、７４０、７５０、７６０を包括し、ステップ７３０、７４０、７５０がインタラクティブ動画の配信方法に関するものであり、ステップ７１０、７２０、７６０がインタラクティブ動画の再生方法に関するものである。
【００７６】
ステップ７１０において、第１インタラクティブ動画のインタラクティブビデオクリップを再生する時に複数の動画要素を複数のインタラクティブな選択項目上に表示する。視聴者側装置３００、３９０の処理ユニット３３０は、映像音声出力ユニット３７０を通じて第１インタラクティブ動画（例えば図１１Ｂ、図１１Ｃ、図１１Ｄのインタラクティブ動画ＥＰ０１）のインタラクティブビデオクリップ（例えば図１１Ｂ、図１１Ｃ、図１１Ｄのインタラクティブな選択項目ＥＰ０１−Ｓ０２）を再生する時、複数の動画要素（例えば図１１Ｄの動画要素識別子ＡＣ０７の役割（動画要素名の「李」）、動画要素識別子ＡＣ０６（役割／動画要素名の「顔」）、動画要素識別子ＧＤ０２の商品（動画要素名の「ペンダント」）、動画識別子ＬＣ０１のシーン（動画要素名の「別荘」））を複数のインタラクティブな選択項目上（例えば図４、図１１Ｄのインタラクティブな選択項目５１１、５１２、５１３、５１４）に表示する。
【００７７】
ステップ７２０において、第１動画要素を表示する第１インタラクティブな選択項目が選択されたことを指示する制御信号を受信すると共に伝送する。視聴者側装置３００、３９０の処理ユニット３３０は、遠隔制御受信ユニット３８０又は入力ユニット３８１を通じて制御信号を受信し、また信号配信ユニット３６０或いはネットワークユニット３５１を通じてインタラクティブ動画配信装置２００に伝送する。
制御信号は、第１動画要素（例えば図１１Ｄ内の動画要素識別子ＡＣ０６の役割（動画要素名の「顔」））を表示した第１インタラクティブな選択項目（例えば図１１Ｄのインタラクティブな選択項目５１２）が選択されたことを示す。
【００７８】
必要がある場合、ステップ７２０は、確認信号を受信すると共に伝送することを含むことができ、前記確認信号が前記第１動画要素に関連付ける複数の関連インタラクティブビデオクリップを再生することを指示する（後記説明の通り）。前記確認信号は、例えば図１３ＡのインタラクティブメニューＭＵ０１上の確認項目ＣＦ０１「「顔」のインタラクティブビデオクリップの再生確認」（スクリーン上の仮想ボタン）がクリックされた時に生成できる。
図１３ＡのインタラクティブメニューＭＵ０１は、リンク又は機能定義を持つ及び／或いは持っていない文字、数字、記号、画像若しくは縦方向及び／或いは横方向にスクロールするインターフェース等を含む様々なインタラクティブなメニュー情報を見せることができる。幾つかの実施例において、ステップ７２０は、更にインタラクティブメニュー（例えばインタラクティブメニューＭＵ０１）を表示することを含むことができる。インタラクティブメニューＭＵ０１は、視聴者側装置３００／３９０が表示する縦方向スクロールバーインターフェースであり、かつステップ７２０内の選択された第１インタラクティブな選択項目（例えば図１１Ｄのインタラクティブな選択項目５１２）で表示する第１動画要素（すなわち、図１３Ａ内の動画要素（識別子）ＡＣ０６）が対応する画像、確認項目ＣＦ０１、表示領域ＤＡ６１で表示する第１動画要素（役割）のプロフィール情報、表示領域ＤＡ６２で表示する該第１動画要素（役割）を担う「役者」のプロフィール情報、表示領域ＤＡ６３の横方向スクロールバーインターフェースで表示する別の動画要素タイプ（商品）の複数の動画要素（識別子）ＧＤ０２等が対応する画像項目、表示領域ＤＡ６４の横方向スクロールバーインターフェースで表示する別の動画要素タイプ（役割）の複数の動画要素（識別子）ＡＣ０７等が対応する画像項目、表示領域ＤＡ６５の横方向スクロールバーインターフェースで表示する別の動画要素タイプ（シーン）の複数の動画要素（識別子）ＬＣ０５等が対応する画像項目、及び表示領域ＤＡ６６の横方向スクロールバーインターフェースで表示する複数のインタラクティブ動画ＥＰ０１、ＥＰ０２、ＥＰ０３、ＥＰ０４等が対応する画像項目を包括する。
【００７９】
別の実施例において、ステップ７１０に比べると、第１動画要素を表示する第１インタラクティブな選択項目は、再生中のインタラクティブビデオクリップに表示されることはなく、インタラクティブメニュー上に表示することができ、例えば図１３ＢのインタラクティブメニューＭＵ００の動画要素（識別子）ＡＣ０６の画像項目は、第１インタラクティブな選択項目として見なすことができる。
インタラクティブメニューＭＵ００の動画要素（識別子）ＡＣ０６（すなわち、第１動画要素）の画像項目が第１インタラクティブな選択項目としてクリックされると、ステップ７２０の制御信号が生成される。よって、ステップ７１０以外に、図１３ＢのインタラクティブメニューＭＵ００で表示する画像項目は非リニア再生モードに入ることができる。
【００８０】
また、幾つかの実施例において、視聴者側装置３００／３９０のメモリユニット３４０が保存するプログラムコードは、インストール済みのアプリケーションプログラム商品を含み、図１３ＢのインタラクティブメニューＭＵ００は処理ユニット３３０が該アプリケーションプログラム商品を実行した後、映像音声出力ユニット３７０に表示されるトップページとすることができる。インタラクティブメニューＭＵ００は、視聴者側装置３００／３９０から表示される縦方向スクロールバーインターフェースであり、かつ、表示領域ＤＡ００の複数機能画像項目を有するファンクションバー、表示領域ＤＡ０１の横方向スクロールバーインターフェースで表示する複数のインタラクティブ動画ＥＰ０１、ＥＰ０２、ＥＰ０３、ＥＰ０４等が対応する画像項目、表示領域ＤＡ０２の横方向スクロールバーインターフェースで表示する動画要素タイプ（役割）の複数の動画要素（識別子）ＡＣ０６等が対応する画像項目、表示領域ＤＡ０３の横方向スクロールバーインターフェースで表示する別の動画要素タイプ（商品）の複数の動画要素（識別子）ＧＤ０２等が対応する画像項目、表示領域ＤＡ０４の横方向スクロールバーインターフェースで表示する別の動画要素タイプ（シーン）の複数の動画要素（識別子）ＬＣ０２等が対応する画像項目を包括する。これはユーザーが最初からインタラクティブメニュー内に表示する各種異なるタイプの動画要素のインタラクティブな選択項目（所示為画像項目：亦可為文数字符号オプション）で視聴希望の特定動画要素の対応或いは関連するインタラクティブビデオクリップにアクセスすることができることを意味し、一般的なリニア再生モデル以外に、ユーザーに様々な非リニア再生のインタラクティブ選択肢が提供されている。
【００８１】
ステップ７３０において、第１動画要素を表示する第１インタラクティブな選択項目が選択されたことを指示する制御信号を受信する。インタラクティブ動画配信装置２００のプロセッサ２５０は、通信ユニット２２０を通じて視聴者側装置３００、３９０からの制御信号を受信する。前記制御信号は、第１動画要素（例えば図１１Ｄ内の動画要素識別子ＡＣ０６の役割（動画要素名の「顔」））を表示した第１インタラクティブな選択項目（例えば図１１Ｄのインタラクティブな選択項目５１２）が選択されたことを示す。
【００８２】
ステップ７４０において、非リニア再生リストＴｎｌｒを生成する。図１２Ｂ、図１２Ｃを参照する。非リニア再生リストＴｎｌｒは、リニアリファレンス表Ｔ１、Ｔ２、Ｔ３、Ｔ４…Ｔ９、Ｔ１０、Ｔ１１、Ｔ１２を組み替えて成り、主に第１動画要素（例えば図１１Ｄ内の動画要素識別子ＡＣ０６の役割（動画要素名の「顔」））と関連付けない無関連インタラクティブビデオクリップ（例えばインタラクティブビデオクリップＥＰ０１−Ｓ２４、ＥＰ０１−Ｓ２５、ＥＰ０２−Ｓ０１、ＥＰ０２−Ｓ０２、ＥＰ０２−Ｓ２６、ＥＰ０３−Ｓ０１、ＥＰ０３−Ｓ０５、ＥＰ０３−Ｓ２３、ＥＰ０３−Ｓ２４、ＥＰ０４−Ｓ０２、ＥＰ０４−Ｓ０７、ＥＰ０４−Ｓ３３、ＥＰ０９−Ｓ０２、ＥＰ０９−Ｓ０６、ＥＰ０９−Ｓ２６、ＥＰ１０−Ｓ０１、ＥＰ１０−Ｓ０５、ＥＰ１０−Ｓ２４、ＥＰ１１−Ｓ０１、ＥＰ１１−Ｓ０２、ＥＰ１１−Ｓ２８、ＥＰ１２−Ｓ０１、ＥＰ１２−Ｓ０４、ＥＰ１２−Ｓ２９）を削除及び／又は第１動画要素（例えば図１１Ｄの動画識別子ＡＣ０６を有する役割／動画要素名の「顔」）と関連付ける関連インタラクティブビデオクリップ（例えばインタラクティブビデオクリップＥＰ０１−Ｓ０１、ＥＰ０１−Ｓ０１、ＥＰ０１−Ｓ０１、ＥＰ０２−Ｓ０６、ＥＰ０２−Ｓ２７、ＥＰ０３−Ｓ０２、ＥＰ０４−Ｓ０１、ＥＰ０４−Ｓ３２、ＥＰ０９−Ｓ０１、ＥＰ０９−Ｓ２７、ＥＰ１０−Ｓ０２、ＥＰ１０−Ｓ２３、ＥＰ１１−Ｓ０８、ＥＰ１１−Ｓ２７、ＥＰ１２−Ｓ０２、ＥＰ１２−Ｓ３０）を統合する。
第１動画要素と関連付けるかどうかは、第１動画要素の動画要素識別子（或いは動画要素の名称、識別コード、画像（情報）等）がリニアリファレンス表Ｔ１、Ｔ２、Ｔ３、Ｔ４…Ｔ９、Ｔ１０、Ｔ１１、Ｔ１２の幾つかのインタラクティブビデオクリップの関連欄に出現するかどうかによる。第１動画要素と関連付ける関連インタラクティブビデオクリップを非リニア再生リストＴｎｌｒとして統合するのは、リニア動画再生シーケンスＥＳ０１及びリニアクリップ再生シーケンスＳＳ０１、ＳＳ０２、ＳＳ０３、ＳＳ０４…ＳＳ０９、ＳＳ１０、ＳＳ１１、ＳＳ１２内の各関連インタラクティブビデオクリップ間の順番によるものとし、例えば図１２Ｃ内の再生シーケンスと動画要素識別子ＡＣ０６の役割（動画要素名の「顔」）の関連付けは、図１２Ｂの矢印に沿ってインタラクティブビデオクリップＥＰ０１−Ｓ０１から順番通りＥＰ０１−Ｓ０１、ＥＰ０１−Ｓ０１、ＥＰ０２−Ｓ０６、ＥＰ０２−Ｓ２７、ＥＰ０３−Ｓ０２、ＥＰ０４−Ｓ０１、ＥＰ０４−Ｓ３２、ＥＰ０９−Ｓ０１、ＥＰ０９−Ｓ２７、ＥＰ１０−Ｓ０２、ＥＰ１０−Ｓ２３、ＥＰ１１−Ｓ０８、ＥＰ１１−Ｓ２７、ＥＰ１２−Ｓ０２で、ＥＰ１２−Ｓ３０まで止まり、この順序はリニア動画再生シーケンスＥＳ０１とリニアクリップ再生シーケンスＳＳ０１、ＳＳ０２、ＳＳ０３、ＳＳ０４…ＳＳ０９、ＳＳ１０、ＳＳ１１、ＳＳ１２内の各関連インタラクティブビデオクリップ間（図１２Ｂ）の順番による。
インタラクティブ動画配信装置２００のプロセッサ２５０は、第１動画要素の動画要素識別子（或いは動画要素の名称、識別コード、画像（情報）等）に基づいて、リニアリファレンス表Ｔ１、Ｔ２、Ｔ３、Ｔ４…Ｔ９、Ｔ１０、Ｔ１１、Ｔ１２内から第１動画要素の動画要素識別子（或いは動画要素の名称、識別コード、画像（情報）等）と関連付けるインタラクティブビデオクリップ（例えばインタラクティブビデオクリップＥＰ０１−Ｓ０１、ＥＰ０１−Ｓ０１、ＥＰ０１−Ｓ０１、ＥＰ０２−Ｓ０６、ＥＰ０２−Ｓ２７、ＥＰ０３−Ｓ０２、ＥＰ０４−Ｓ０１、ＥＰ０４−Ｓ３２、ＥＰ０９−Ｓ０１、ＥＰ０９−Ｓ２７、ＥＰ１０−Ｓ０２、ＥＰ１０−Ｓ２３、ＥＰ１１−Ｓ０８、ＥＰ１１−Ｓ２７、ＥＰ１２−Ｓ０２、ＥＰ１２−Ｓ３０）を見つけ出し、またリニア動画再生シーケンスＥＳ０１とリニアクリップ再生シーケンスＳＳ０１、ＳＳ０２、ＳＳ０３、ＳＳ０４…ＳＳ０９、ＳＳ１０、ＳＳ１１、ＳＳ１２内の各関連インタラクティブビデオクリップ間（図１２Ｂ）の順番によって統合することで、図１２Ｃの非リニア再生リストとなる。非リニア再生リストＴｎｌｒの生成も全ての動画要素についてあらかじめ完成させることができ、この場合、本生成ステップは絶対に必要なものではない。
【００８３】
ステップ７５０において、非リニア再生リストＴｎｌｒに基づいて、順番通り第１動画要素に関連付ける複数の関連インタラクティブビデオクリップをキャプチャー及び伝送する。インタラクティブ動画配信装置２００のプロセッサ２５０は、非リニア再生リストＴｎｌｒに基づいて、順番通り第１動画要素（例えば図１１Ｄの動画識別子ＡＣ０６を有する役割（動画要素名の「顔」））に関連付ける複数の関連インタラクティブビデオクリップ（例えばインタラクティブビデオクリップＥＰ０１−Ｓ０１、ＥＰ０１−Ｓ０１、ＥＰ０１−Ｓ０１、ＥＰ０２−Ｓ０６、ＥＰ０２−Ｓ２７、ＥＰ０３−Ｓ０２、ＥＰ０４−Ｓ０１、ＥＰ０４−Ｓ３２、ＥＰ０９−Ｓ０１、ＥＰ０９−Ｓ２７、ＥＰ１０−Ｓ０２、ＥＰ１０−Ｓ２３、ＥＰ１１−Ｓ０８、ＥＰ１１−Ｓ２７、ＥＰ１２−Ｓ０２、ＥＰ１２−Ｓ３０）をキャプチャー及び伝送する。
【００８４】
ステップ７６０において、順番通り第１動画要素に関連付ける複数の関連インタラクティブビデオクリップを受信すると共に再生する。視聴者側装置３００、３９０の処理ユニット３３０は、信号受信ユニット３５０、ネットワークユニット３５１を通じてインタラクティブ動画配信装置２００から第１動画要素に関連付ける複数の関連インタラクティブビデオクリップを受信する。こうして本来のリニア再生の硬直化した順序から脱却して選択した動画要素に基づいて関連付ける関連インタラクティブビデオクリップを配信すると共に再生できる。
幾つかの実施例において、非リニア再生リスト全体、又は該第１動画要素の第１動画要素識別子及びその関連付ける複数の関連インタラクティブビデオクリップの第２インタラクティブビデオクリップ識別子（仮に第１インタラクティブビデオクリップは、すでに視聴者側装置３００／３９０で再生或いはインタラクティブメニュー内の画像項目として表示する）のみも視聴者側装置３００／３９０に配信することで、関連インタラクティブビデオクリップを受信及び再生できる。
【００８５】
非リニア再生を実現できる以外に、非リニア再生モードにアクセスした後も第１動画要素のインタラクティブな選択項目における表示ウェイトを変更でき、従って後続インタラクティブメニュー操作中、様々な該動画要素に関連付ける商品又はインタラクティブ操作の出現確率を高める。幾つかの実施例における実現方式は、例えばステップ７５０において第１動画要素の関連インタラクティブビデオクリップのインタラクティブな選択項目における表示ウェイトを変更すると共に伝送することを更に含む。
例えば、図１１Ｃ、図１２Ｃを参照する。元々インタラクティブビデオクリップＥＰ０１−Ｓ０２において、動画要素識別子ＡＣ０６の図１１Ｄのインタラクティブな選択項目５１２（図１１Ｃのインタラクティブな選択項目色が緑色）における表示ウェイトは、僅か２０（％）で、図１１Ｄの同様に同じインタラクティブな選択項目５１２（図１１Ｃのインタラクティブな選択項目色が緑色）に対応する動画要素識別子ＡＣ０４、ＡＣ０３の表示ウェイトがいずれも４０（％）である。非リニア再生モードにアクセスした後、図１１Ｄのインタラクティブな選択項目５１２（図１１Ｃインタラクティブな選択項目色が緑色）の動画要素識別子ＡＣ０６の表示ウェイトを１００（％）に変更し、そのリニアリファレンス表Ｔ１上のプリミティブ値より高く、同時に動画要素識別子ＡＣ０４、ＡＣ０３の表示ウェイトをいずれも０（％）に引き下げる。
視聴者側装置３００、３９０は、複数の表示ウェイトを受信でき、先ほど選択された第１動画要素の第１表示ウェイトを引き上げ、同一インタラクティブビデオクリップの同一インタラクティブな選択項目に対応する少なくとも第３動画要素の第３表示ウェイトを相対的に引き下げると、そのリニアリファレンス表Ｔ１上のプリミティブ値より低く、第１動画要素に対応する第１表示ウェイトより低い。こうして非リニア再生下で、第１動画要素のインタラクティブな選択項目における表示時間が比較的長いことで、派生したその他の関連的な操作、例えば第１動画要素が関連する特定商品又はインタラクティブ操作は更に実行することを確保する。
【００８６】
また、例えば第１動画要素（例えば動画要素識別子ＡＣ０６）を表示するインタラクティブな選択項目（例えばインタラクティブな選択項目５１２又は図１３Ｂの動画要素識別子ＡＣ０６の画像項目）をクリックして図１３Ａ内のインタラクティブメニューＭＵ０１にアクセスし、インタラクティブメニューＭＵ０１が表示する全ての動画要素の画像項目において、各々クリックされた第１動画要素に基づいてインタラクティブメニューＭＵ０１における表示ウェイトを変更することで、異なるメニュー内容表示、異なるインタラクティブな選択項目の表示時間及びクリック確率変化の可能性を提供し、非リニアの動画再生技術を広げる。例えば動画視聴行為データベース及び広告販促データベースの応用である。
【産業上の利用可能性】
【００８７】
上記をとりまとめ、本発明の各実施例に記載の技術的特徴を統合すると、各インタラクティブ動画は、複数のインタラクティブビデオクリップに分割され、各々保存される独立ファイル形態で存在し、特定のインタラクティブビデオクリップ識別子を付与することで、インタラクティブビデオクリップに出現する各動画要素を動画要素識別子によって対応の出現したインタラクティブビデオクリップと関連付け、また各々各動画要素のインタラクティブな選択項目における表示ウェイトに割り当てることを通じて、インタラクティブな選択項目で見せる動画要素の表示時間の長さを決定し、従ってインタラクティブな選択項目がクリックされた後の見せる内容を制御する。同時に、非リニア再生は、すでに本発明の実施例を介して実現でき、硬直化したリニア再生モードから脱却できるだけではなく、後続インタラクティブメニュー操作中、選択された動画要素に関連付ける商品或いはインタラクティブ操作の出現時間を高め、インタラクティブ動画再生過程中の異なるインタラクティブ操作の多様性を広げることができる。
【符号の説明】
【００８８】
１００  インタラクティブ動画配信システム
２００  インタラクティブ動画配信装置
２１０  ストレージユニット
２２０  通信ユニット
２３０  地上の基地局
２４０  ネットワーク
２５０  プロセッサ
３００  視聴者側装置
３１０  テレビ
３２０  セットトップボックス
３３０  処理ユニット
３４０  メモリユニット
３４１  一時保存領域
３５０  信号受信ユニット
３５１  ネットワークユニット
３６０  信号配信ユニット
３７０  映像音声出力ユニット
３８０  遠隔制御受信ユニット
３８１  入力ユニット
３９０  インターネットに接続する機器
４００  リモコン
４１０  カラーボタン
４１０Ｒ  赤ボタン
４１０Ｇ  緑ボタン
４１０Ｙ  黄ボタン
４１０Ｂ  青ボタン
５００  インタラクティブ動画
ＥＰ０１、ＥＰ０２、ＥＰ０３、ＥＰ０４…ＥＰ０９、ＥＰ１０、ＥＰ１１、ＥＰ１２  インタラクティブ動画
５１０  インタラクティブビデオクリップ
ＥＰ０１−Ｓ０１，ＥＰ０１−Ｓ０２、ＥＰ０１−Ｓ０４、ＥＰ０１−Ｓ２４、ＥＰ０１−Ｓ２５  インタラクティブビデオクリップ
ＥＰ０２−Ｓ０１、ＥＰ０２−Ｓ０２、ＥＰ０２−Ｓ０６、ＥＰ０２−Ｓ２６、ＥＰ０２−Ｓ２７  インタラクティブビデオクリップ
ＥＰ０３−Ｓ０１、ＥＰ０３−Ｓ０２、ＥＰ０３−Ｓ０５、ＥＰ０３−Ｓ２３、ＥＰ０３−Ｓ２４  インタラクティブビデオクリップ
ＥＰ０４−Ｓ０１、ＥＰ０４−Ｓ０２、ＥＰ０４−Ｓ０７、ＥＰ０４−Ｓ３２、ＥＰ０４−Ｓ３３  インタラクティブビデオクリップ
ＥＰ０９−Ｓ０１、ＥＰ０９−Ｓ０２、ＥＰ０９−Ｓ０６、ＥＰ０９−Ｓ２６、ＥＰ０９−Ｓ２７  インタラクティブビデオクリップ
ＥＰ１０−Ｓ０１、ＥＰ１０−Ｓ０２、ＥＰ１０−Ｓ０５、ＥＰ１０−Ｓ２３、ＥＰ１０−Ｓ２４  インタラクティブビデオクリップ
ＥＰ１１−Ｓ０１、ＥＰ１１−Ｓ０２、ＥＰ１１−Ｓ０８、ＥＰ１１−Ｓ２７、ＥＰ１１−Ｓ２８  インタラクティブビデオクリップ
ＥＰ１２−Ｓ０１、ＥＰ１２−Ｓ０２、ＥＰ１２−Ｓ０９、ＥＰ１２−Ｓ２９、ＥＰ１２−Ｓ３０  インタラクティブビデオクリップ
５１１、５１２、５１３、５１４、５１５、５１６  インタラクティブな選択項目
５２１、５２２、５２３  画面
６１０、６２０、６３０、６４０、６５０、６６０  ステップ
７１０、７２０、７３０、７４０、７５０、７６０  ステップ
ＡＣ０７、ＡＣ０６、ＡＣ０４、ＡＣ０３、ＧＤ０２、ＬＣ０１、ＬＣ０２、ＬＣ０５  動画要素識別子
ＣＡ０７、ＣＡ０６、ＣＧ０２、ＣＬ０２  コマンド
ＣＦ０１  確認項目
ＤＡ００、ＤＡ０１、ＤＡ０２、ＤＡ０３、ＤＡ０４  表示領域
ＤＡ６１、ＤＡ６２、ＤＡ６３、ＤＡ６４、ＤＡ６５、ＤＡ６６  表示領域
ＥＳ０１  リニア動画再生シーケンス
Ｌ０１、Ｌ０２、Ｌ０３  画像レイヤ
ＭＵ０１、ＭＵ００  インタラクティブメニュー
ＯＰ５１１、ＯＰ５１２、ＯＰ５１３、ＯＰ５１４  インタラクティブな選択項目の画像
Ｐ１、Ｐ２、Ｐ３、Ｐ４  領域
ＳＳ０１、ＳＳ０２、ＳＳ０３、ＳＳ０４、ＳＳ０９、ＳＳ１０、ＳＳ１１、ＳＳ１２  リニアクリップ再生シーケンス
Ｔｎｌｒ  非リニア再生リスト
Ｔ１、Ｔ２、Ｔ３、Ｔ４…Ｔ９、Ｔ１０、Ｔ１１、Ｔ１２  リニアリファレンス表
【図１】
2019201393.tif 000003
【図２】
2019201393.tif 000004
【図３】
2019201393.tif 000005
【図４】
2019201393.tif 000006
【図５】
2019201393.tif 000007
【図６】
2019201393.tif 000008
【図７】
2019201393.tif 000009
【図８】
2019201393.tif 000010
【図９】
2019201393.tif 000011
【図１０Ａ】
2019201393.tif 000012
【図１０Ｂ】
2019201393.tif 000013
【図１１Ａ】
2019201393.tif 000014
【図１１Ｂ】
2019201393.tif 000015
【図１１Ｃ】
2019201393.tif 000016
【図１１Ｄ】
2019201393.tif 000017
【図１１Ｅ】
2019201393.tif 000018
【図１２Ａ】
2019201393.tif 000019
【図１２Ｂ】
2019201393.tif 000020
【図１２Ｃ】
2019201393.tif 000021
【図１３Ａ】
2019201393.tif 000022
【図１３Ｂ】
2019201393.tif 000023
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
プロセッサと、
前記プロセッサに電気的に接続され、プログラムコード及び複数のインタラクティブ動画を保存しており、各前記インタラクティブ動画が各々ストレージユニットに独立して保存される複数のインタラクティブビデオクリップを含み、各前記インタラクティブビデオクリップが各々複数のインタラクティブな選択項目、複数の動画要素及び複数の表示ウェイトに対応するストレージユニットと、
前記プロセッサに電気的に接続される通信ユニットと、を含むインタラクティブ動画配信装置において、
前記プロセッサは、前記プログラムコードを実行することで、視聴者側装置からの制御信号を受信し、前記制御信号は前記インタラクティブ動画内の第１インタラクティブ動画が選択されたことを指示し、従って前記ストレージユニットから前記第１インタラクティブ動画の前記インタラクティブビデオクリップ及びその対応する前記インタラクティブな選択項目、前記動画要素と前記表示ウェイトをキャプチャーし、また前記通信ユニットを通じて前記視聴者側装置に配信し、
前記視聴者側装置が前記第１インタラクティブ動画の前記インタラクティブビデオクリップを再生する時、前記インタラクティブビデオクリップに対応する前記インタラクティブな選択項目は前記インタラクティブビデオクリップ上に表示され、かつ前記インタラクティブビデオクリップの前記動画要素は、前記動画要素が前記インタラクティブな選択項目上に表示される時間の、前記インタラクティブビデオクリップの動画の時間に対する割合である前記表示ウェイトの時間率を表示することを特徴とする、
インタラクティブ動画配信装置。
【請求項２】
各前記インタラクティブ動画は、前記ストレージユニットに保存されるリニアリファレンス表に各々対応し、前記リニアリファレンス表が各前記インタラクティブビデオクリップに対応する前記インタラクティブな選択項目と前記動画要素と前記表示ウェイトとを含むことを特徴とする、請求項１に記載のインタラクティブ動画配信装置。
【請求項３】
前記プロセッサは、リニアクリップ再生シーケンスに基づいて前記第１インタラクティブ動画の前記インタラクティブビデオクリップを配信し、またリニア動画再生シーケンスに基づいて前記第１インタラクティブ動画及び前記第１インタラクティブ動画に続ける前記インタラクティブ動画を配信することを特徴とする、請求項１に記載のインタラクティブ動画配信装置。
【請求項４】
前記プロセッサは、前記通信ユニットを通じて前記視聴者側装置からの第１制御信号を受信し、前記第１制御信号は第１動画要素を表示する第１インタラクティブな選択項目がすでに選択されたことを指示し、前記第１インタラクティブな選択項目が前記インタラクティブな選択項目のいずれかであり、前記インタラクティブな選択項目が前記視聴者側装置再生中の第１インタラクティブビデオクリップ上に表示され又は前記視聴者側装置を通じてインタラクティブメニュー上に表示され、かつ前記第１動画要素は特定の可視オブジェクトに対応して前記第１インタラクティブビデオクリップ内に現れ、前記第１インタラクティブビデオクリップが前記第１インタラクティブ動画の前記インタラクティブビデオクリップのいずれかであり、前記第１動画要素は第１動画要素識別子に対応し、前記第１インタラクティブビデオクリップが第１インタラクティブビデオクリップ識別子を有し、前記ストレージユニットの前記インタラクティブビデオクリップ内に含まれる少なくとも１つの第２インタラクティブビデオクリップは第２インタラクティブビデオクリップ識別子を有し、前記第１インタラクティブビデオクリップ識別子及び前記第２インタラクティブビデオクリップ識別子が各々前記第１動画要素識別子に関連付け、従って前記プロセッサは前記第１動画要素識別子、前記第１インタラクティブビデオクリップ識別子及び前記第２インタラクティブビデオクリップ識別子に基づいて、前記第１インタラクティブビデオクリップ及び前記第２インタラクティブビデオクリップをキャプチャーすると共に配信することで、前記視聴者側装置上において再生させることを特徴とする、請求項１に記載のインタラクティブ動画配信装置。
【請求項５】
前記プロセッサは、更にキャプチャーすると共に前記通信ユニットを通じて前記第１動画要素に関連付け、かつ引き上げられた第１表示ウェイト及び第２表示ウェイトを配信し、前記第１インタラクティブビデオクリップ及び前記第２インタラクティブビデオクリップが前記視聴者側装置において各々再生された時、前記第１動画要素は、前記第１表示ウェイト及び前記第２表示ウェイトに基づいて対応の前記インタラクティブな選択項目上に各々表示することを特徴とする、請求項４に記載のインタラクティブ動画配信装置。
【請求項６】
前記プロセッサは、更に前記通信ユニットを通じて前記第１インタラクティブビデオクリップ及び第３動画要素に対応する第３表示ウェイトをキャプチャーすると共に配信し、前記第３動画要素及び前記第１動画要素が前記第１インタラクティブビデオクリップの同じ前記インタラクティブな選択項目に対応し、かつ前記第３表示ウェイトが前記第１表示ウェイトより低いことを特徴とする、請求項５に記載のインタラクティブ動画配信装置。
【請求項７】
処理ユニットと、
前記処理ユニットに電気的に接続され、プログラムコードを保存するメモリユニットと、
前記処理ユニットに電気的に接続されるネットワークユニットと、
前記処理ユニットに電気的に接続される映像音声出力ユニットと、を含む視聴者側装置において、
前記処理ユニットは、前記プログラムコードを実行することで、
制御信号を受信すると共に前記ネットワークユニットを経由して複数のインタラクティブ動画を保存する配信装置に伝送し、前記制御信号は前記インタラクティブ動画内の第１インタラクティブ動画がすでに選択されたことを指示し、前記ネットワークユニットを通じて前記第１インタラクティブ動画の複数のインタラクティブビデオクリップ及びその対応の複数のインタラクティブな選択項目、複数の動画要素と複数の表示ウェイトを受信し、
前記映像音声出力ユニットを通じて前記第１インタラクティブ動画の前記インタラクティブビデオクリップを再生する時、前記インタラクティブビデオクリップに対応する前記インタラクティブな選択項目を前記インタラクティブビデオクリップ上に表示し、かつ前記インタラクティブビデオクリップに対応する前記動画要素は、前記動画要素が前記インタラクティブな選択項目上に表示される時間の、前記インタラクティブビデオクリップの動画の時間に対する割合である前記表示ウェイトの時間率を表示すること、を特徴とする、
視聴者側装置。
【請求項８】
前記処理ユニットは、第１制御信号を受信し、前記第１制御信号は第１動画要素を表示する第１インタラクティブな選択項目がすでに選択されたことを指示し、前記第１インタラクティブな選択項目が前記インタラクティブな選択項目のいずれかであり、前記インタラクティブな選択項目が前記映像音声出力ユニット再生中の第１インタラクティブビデオクリップ上に表示され又は前記映像音声出力ユニットを通じてインタラクティブメニュー上に表示され、かつ前記第１動画要素は特定の可視オブジェクトに対応して前記第１インタラクティブビデオクリップ内に現れ、前記第１インタラクティブビデオクリップが前記第１インタラクティブ動画の前記インタラクティブビデオクリップのいずれかであり、前記第１動画要素は第１動画要素識別子に対応し、前記第１インタラクティブビデオクリップが第１インタラクティブビデオクリップ識別子を有し、前記インタラクティブビデオクリップ内に含まれる少なくとも１つの第２インタラクティブビデオクリップは第２インタラクティブビデオクリップ識別子を有し、前記第１インタラクティブビデオクリップ識別子及び前記第２インタラクティブビデオクリップ識別子が各々前記第１動画要素識別子に関連付け、従って前記処理ユニットは受信すると共に前記映像音声出力ユニットで前記第１インタラクティブビデオクリップ及び前記第２インタラクティブビデオクリップを再生することを特徴とする、請求項７に記載の視聴者側装置。
【請求項９】
前記処理ユニットは、更に該ネットワークユニットを通じて前記第１動画要素に関連付け、かつ引き上げられた第１表示ウェイト及び第２表示ウェイトを受信し、前記第１インタラクティブビデオクリップ及び前記第２インタラクティブビデオクリップが前記映像音声出力ユニットにおいて再生された時、前記第１動画要素は前記第１表示ウェイト及び前記第２表示ウェイトに基づいて対応の前記インタラクティブな選択項目上に各々表示されることを特徴とする、請求項８に記載の視聴者側装置。
【請求項１０】
前記処理ユニットは、更に該ネットワークユニットを通じて前記第１インタラクティブビデオクリップ及び第３動画要素に対応する第３表示ウェイトを受信し、前記第３動画要素及び前記第１動画要素が前記第１インタラクティブビデオクリップの同じ前記インタラクティブな選択項目に対応し、かつ前記第３表示ウェイトが前記第１表示ウェイトより低いことを特徴とする、請求項９に記載の視聴者側装置。
【請求項１１】
視聴者側装置からの制御信号を受信し、前記制御信号は第１動画要素を表示する第１インタラクティブな選択項目がすでに選択されたことを指示し、前記第１インタラクティブな選択項目が複数のインタラクティブな選択項目のいずれかであり、前記インタラクティブな選択項目が再生中の第１インタラクティブビデオクリップ上に表示され又はインタラクティブメニュー上に表示され、かつ前記第１動画要素は特定の可視オブジェクトに対応して前記第１インタラクティブビデオクリップ内に現れ、前記第１インタラクティブビデオクリップが複数のインタラクティブ動画の複数のインタラクティブビデオクリップのいずれかであり、前記第１動画要素は第１動画要素識別子に対応し、前記第１インタラクティブビデオクリップが第１インタラクティブビデオクリップ識別子を有し、前記複数のインタラクティブビデオクリップ内に含まれる少なくとも１つの第２インタラクティブビデオクリップは第２インタラクティブビデオクリップ識別子を有し、前記第１インタラクティブビデオクリップ識別子及び前記第２インタラクティブビデオクリップ識別子が各々前記第１動画要素識別子に関連付けることと、
前記第１動画要素識別子、前記第１インタラクティブビデオクリップ識別子及び前記第２インタラクティブビデオクリップ識別子に基づいて、前記第１インタラクティブビデオクリップ及び前記第２インタラクティブビデオクリップをキャプチャーすると共に配信することで、前記視聴者側装置上において再生させることと、を含み、
各前記インタラクティブ動画は、各前記インタラクティブビデオクリップに対応する前記インタラクティブな選択項目と複数の動画要素と複数の表示ウェイトとを含むリニアリファレンス表に各々対応することを特徴とする、
インタラクティブ動画配信方法。
【請求項１２】
前記第１動画要素に関連付け、かつ引き上げられた第１表示ウェイト及び第２表示ウェイトをキャプチャーすると共に配信し、前記第１インタラクティブビデオクリップ及び前記第２インタラクティブビデオクリップが前記視聴者側装置において再生された時、前記第１動画要素は、前記第１表示ウェイト及び前記第２表示ウェイトに基づいて対応の前記インタラクティブな選択項目上に各々表示されることを更に含むことを特徴とする、請求項１１に記載のインタラクティブ動画配信方法。
【請求項１３】
前記第１インタラクティブビデオクリップ及び第３動画要素に対応する第３表示ウェイトをキャプチャーすると共に配信し、前記第３動画要素及び前記第１動画要素が前記第１インタラクティブビデオクリップの同じ前記インタラクティブな選択項目に対応し、かつ前記第３表示ウェイトが前記第１表示ウェイトより低いことを更に含むことを特徴とする、請求項１２に記載のインタラクティブ動画配信方法。
【請求項１４】
制御信号を受信すると共に配信装置に伝送し、前記制御信号は第１動画要素を表示する第１インタラクティブな選択項目がすでに選択されたことを指示し、前記第１インタラクティブな選択項目が複数のインタラクティブな選択項目のいずれかであり、前記インタラクティブな選択項目が再生中の第１インタラクティブビデオクリップ上に表示され又はインタラクティブメニュー上に表示され、かつ前記第１動画要素は特定の可視オブジェクトに対応して前記第１インタラクティブビデオクリップ内に現れ、前記第１インタラクティブビデオクリップが複数のインタラクティブ動画の複数のインタラクティブビデオクリップのいずれかであり、前記第１動画要素は第１動画要素識別子に対応し、前記第１インタラクティブビデオクリップが第１インタラクティブビデオクリップ識別子を有し、前記複数のインタラクティブビデオクリップ内に含まれる少なくとも１つの第２インタラクティブビデオクリップは第２インタラクティブビデオクリップ識別子を有し、前記第１インタラクティブビデオクリップ識別子及び前記第２インタラクティブビデオクリップ識別子が各々前記第１動画要素識別子に関連付けることと、
前記第１インタラクティブビデオクリップ及び前記第２インタラクティブビデオクリップを受信すると共に再生することと、を含み、
前記第１動画要素に関連付け、かつ引き上げられた第１表示ウェイト及び第２表示ウェイトを受信し、前記第１インタラクティブビデオクリップ及び前記第２インタラクティブビデオクリップが視聴者側装置において再生された時、前記第１動画要素は、前記第１表示ウェイト及び前記第２表示ウェイトに基づいて対応の前記インタラクティブな選択項目上に各々表示されることを更に含むことを特徴とする、
インタラクティブ動画再生方法。
【請求項１５】
前記第１インタラクティブビデオクリップ及び第３動画要素に対応する第３表示ウェイトを受信し、前記第３動画要素及び前記第１動画要素が前記第１インタラクティブビデオクリップの同じ前記インタラクティブな選択項目に対応し、かつ前記第３表示ウェイトが前記第１表示ウェイトより低いことを更に含むことを特徴とする、請求項１４に記載のインタラクティブ動画再生方法。